(57)【要約】      （修正有）【課題】干渉の検出と軽減を行う。【解決手段】デバイス（例えば、セルラ電話）は、干渉レベルを感知し、受信された信号において予期される干渉をデジタル的に再構築する。デバイスは、再構築された干渉を受信された信号に相関させ、相関結果に基づいて受信された信号中の干渉を決定する。デバイスは、受信された信号中の検出された干渉に基づいて、受信機における１つあるいはそれより多くの回路ブロック（例えば、混合器、ＬＮＡ、等）の動作を調整しうる。代替的に、または追加的に、デバイスは、受信された信号中の干渉と符合する条件付けられ再構築された干渉を取得するためにデジタル干渉を条件付けし、そして、条件付けられた干渉を受信された信号から引き算することが出来る。【選択図】図２
2014057327.tif 000002
【特許請求の範囲】
【請求項１】
情報を再生するために、受信された信号を処理するように構成された装置であって、
前記装置は、
第１の副信号を発生するために、第１の干渉信号を感知およびサンプリングする干渉センサおよびサンプラと、
デジタル再構築された干渉信号を発生するために、前記第１の副信号を回転周波数分だけ回転するデジタル回転器と、
前記デジタル再構築された干渉信号を、前記受信された信号から派生したデジタル信号と相関させる相関器と、
前記受信された信号中の干渉を軽減するために、前記デジタル再構築された干渉信号に基づいて、前記受信された信号の処理への調整を制御する干渉制御ユニットとを具備する
干渉軽減装置。
【請求項２】
前記第１の副信号を複数の候補回転周波数分だけ回転し、
前記回転された第１の副信号の各々を、前記受信された信号の処理されたバージョンと相関させ、
前記デジタル回転器中の前記回転周波数を、
前記回転された第１の副信号の各々と、前記受信された信号の処理されたバージョンとの前記相関の最大の結果に関係付けられた候補回転周波数であるように設定するサーチャーを更に具備する請求項１記載の装置。
【請求項３】
前記回転周波数が、
ＲＸ局部発信器信号周波数と、前記ＲＸ局部発信器のスプリアスに関係付けられた周波数間の相違を具備する請求項１記載の装置。
【請求項４】
受信された信号中の干渉を軽減する方法であって、
前記方法は、
情報を再生するために、前記受信された信号を処理することと、
干渉信号を感知することと、
第１の副信号を発生するために、前記感知された干渉信号をサンプリングすることと、
デジタル再構築された干渉信号を発生するために、前記第１の副信号を回転周波数分だけデジタル的に回転することと、
前記デジタル再構築された干渉信号を、前記受信された信号から派生したデジタル信号と相関させることと、
前記受信された信号中の干渉を軽減するために、前記デジタル再構築された干渉信号に基づいて、前記受信された信号の処理を調整することとを具備する方法。
【請求項５】
前記回転周波数が、
ＲＸ局部発信器信号周波数と、前記ＲＸ局部発信器のスプリアスに関係付けられた周波数間の相違を具備する請求項４記載の方法。
【請求項６】
前記第１の副信号を複数の候補回転周波数分だけ回転することと、
前記回転された第１の副信号の各々を、前記受信された信号の処理されたバージョンと相関させることと、
前記デジタル的に回転するステップ中の前記回転周波数を、
前記回転された第１の副信号の各々と、前記受信された信号の処理されたバージョンとの前記相関の最大の結果に関係付けられた候補回転周波数であるように設定することとを
更に具備する請求項４記載の方法。
【請求項７】
情報を再生するために、受信された信号を処理するように構成された装置であって、
前記装置は、
情報を再生するために、前記受信された信号を処理する手段と、
干渉信号を感知する手段と、
第１の副信号を発生するために、前記感知された干渉信号をサンプリングする手段と、
デジタル再構築された干渉信号を発生するために、前記第１の副信号を回転周波数分だけデジタル的に回転する手段と、
前記デジタル再構築された干渉信号を、前記受信された信号から派生したデジタル信号と相関させる手段と、
前記受信された信号中の干渉を軽減するために、前記デジタル再構築された干渉信号に基づいて、前記受信された信号の処理を調整する手段とを具備する干渉軽減装置。
【請求項８】
前記回転周波数が、
ＲＸ局部発信器信号周波数と、前記ＲＸ局部発信器のスプリアスに関係付けられた周波数間の相違を具備する請求項７記載の装置。
【請求項９】
前記第１の副信号を複数の候補回転周波数分だけ回転する手段と、
前記回転された第１の副信号の各々を、前記受信された信号の処理されたバージョンと相関させる手段と、
前記デジタル的に回転するステップ中の前記回転周波数を、
前記回転された第１の副信号の各々と、前記受信された信号の処理されたバージョンとの前記相関の最大の結果に関係付けられた候補回転周波数であるように設定する手段とを
更に具備する請求項７記載の装置。
【請求項１０】
情報を再生するために、受信された信号を処理するように構成された装置であって、
前記装置は、
デジタルサンプリングされた干渉信号を発生するために、第１の干渉信号を感知およびサンプリングする干渉センサおよびサンプラと、
前記デジタルサンプリングされた干渉信号に基づいて、デジタル再構築された干渉信号を発生する干渉再構築ユニットと、
前記デジタル再構築された干渉信号を、前記受信された信号から派生したデジタル信号と相関させる相関器と、
前記相関器の出力に基づいて、前記受信された信号を処理するために使用される無線周波数（ＲＦ）回路ブロックのパラメータへの調整を制御する干渉制御ユニットとを具備する干渉軽減装置。
【請求項１１】
前記第１の干渉信号が、
送信機によって発生されたデジタル送信信号を具備し、
前記デジタルサンプリングされた干渉信号は、前記第１の干渉信号である請求項１０記載の装置。
【請求項１２】
前記干渉制御ユニットが、
前記相関器の前記出力を低減するために、局部発信器信号を前記受信された信号と混合するのに使用される混合器の対称性を制御するように構成されている請求項１０記載の装置。
【請求項１３】
前記干渉構築ユニットが、
前記デジタルサンプリングされた干渉信号に基づいて、二次相互変調歪み（ＩＭ２）を再構築するように構成されている請求項１０記載の装置。
【請求項１４】
前記干渉制御ユニットが、
前記相関の前記結果を低減するために、前記受信された信号を処理するのに使用される低雑音アンプの線形性モードを調整するように構成されている請求項１０記載の装置。
【請求項１５】
受信された信号中の干渉を軽減する方法であって、
前記方法は、
情報を再生するために、前記受信された信号を処理することと、
干渉信号を感知することと、
デジタルサンプリングされた干渉信号を発生するために、前記感知された干渉信号をサンプリングすることと、
前記デジタルサンプリングされた干渉信号に基づいて、デジタル再構築された干渉信号を発生することと、
前記デジタル再構築された干渉信号を、前記受信された信号から派生したデジタル信号と相関させることと、
前記相関の前記結果に基づいて、前記受信された信号を処理するために使用される無線周波数（ＲＦ）回路ブロックのパラメータを調整することとを具備する方法。
【請求項１６】
干渉信号を前記感知することは、送信機によって発生されたデジタル送信信号を感知することを具備し、
前記感知された干渉信号を前記サンプリングすることは、前記感知されたデジタル干渉信号を、前記デジタルサンプリングされた干渉信号として提供することを具備する請求項１５記載の方法。
【請求項１７】
パラメータの前記調整は、
前記相関の前記結果を低減するために、局部発信器信号を前記受信された信号と混合するのに使用される混合器の対称性を制御することを具備する請求項１５記載の方法。
【請求項１８】
デジタル再構築された干渉信号を前記発生することは、
前記デジタルサンプリングされた干渉信号に基づいて、二次相互変調歪み（ＩＭ２）を再構築することを具備する請求項１７記載の方法。
【請求項１９】
パラメータの前記調整が、
前記相関の前記結果を低減するために、前記受信された信号を処理するのに使用される低雑音アンプの線形性モードを調整することを具備する請求項１５記載の方法。
【請求項２０】
受信された信号中の干渉を軽減する装置であって、
前記装置は、
情報を再生するために、前記受信された信号を処理する手段と、
干渉信号を感知する手段と、
デジタルサンプリングされた干渉信号を発生するために、前記感知された干渉信号をサンプリングする手段と、
前記デジタルサンプリングされた干渉信号に基づいて、デジタル再構築された干渉信号を発生する手段と、
前記デジタル再構築された干渉信号を、前記受信された信号から派生したデジタル信号と相関させる手段と、
前記相関の前記結果に基づいて、前記受信された信号を処理するために使用される無線周波数（ＲＦ）回路ブロックのパラメータを調整する手段とを具備する装置。
【請求項２１】
情報を再生するために、受信された信号を処理するように構成された装置であって、
前記装置は、
第１の副信号を発生するために、第１の干渉信号を感知およびサンプリングする第１の干渉センサおよびサンプラと、
前記第１の副信号に基づいて、第１のデジタル再構築された干渉信号を発生する干渉再構築ユニットと、
前記受信された信号中の干渉を軽減するために、前記第１のデジタル再構築された干渉信号に基づいて、前記受信された信号の処理への調整を制御する干渉制御ユニットと、
第２の副信号を発生するために、第２の干渉信号を感知およびサンプリングする第２の干渉センサおよびサンプラとを具備し、
前記干渉制御ユニットは、前記第２の副信号に基づいて、第２のデジタル再構築された干渉信号を発生するように更に構成され、
前記干渉制御ユニットは、前記受信された信号中の干渉を軽減するために、干渉選択制御信号に応答して、前記第２のデジタル再構築された干渉信号に基づいて、前記受信された信号の処理への調整を制御するように更に構成されている干渉軽減装置。
【請求項２２】
前記第１または第２のデジタル再構築された干渉信号を、前記受信された信号から派生したデジタル信号と相関させる相関器を更に具備し、
前記受信された信号の前記処理への前記調整は、前記相関器の前記出力に基づいている請求項２１記載の装置。
【請求項２３】
前記受信された信号の前記処理への前記調整は、
前記受信された信号を処理するために使用される無線周波数（ＲＦ）回路ブロックのパラメータの調整を具備する請求項２１記載の装置。
【発明の詳細な説明】
【優先権の主張】
【０００１】
本特許の出願は、“干渉検出および軽減”と題する２００８年１月２日に出願され、その譲受人に譲渡された米国仮特許出願第６１／０１８，５７２号に対して優先権の利益を主張し、その開示は、参照によりここに明確に組み込まれている。
【技術分野】
【０００２】
本開示は、一般的に通信受信機に関し、更に特定的には、受信機における干渉および／または歪みを軽減する技法に関する。
【背景技術】
【０００３】
通信システムにおいて、送信機は、変調された信号を発生するためにデータを処理し、変調された信号を通信チャネルを介して受信機に送信する。受信機は、送信された信号を受信し、送信機によって送信されたデータを再生しようと試みる。信号は、例えば、所望の信号に局部発信器（ＬＯ）スプリアスおよび他の雑音源でもって帯域外ジャマを線形混合することや、受信機自身の非線形特性から派生する相互変調歪み（ｉｎｔｅｒｍｏｄｕｌａｔｉｏｎ  ｐｒｏｄｕｃｔｓ）を含む雑音、歪みおよび干渉によって破壊されうる。
【０００４】
そのような信号破壊の効果に立ち向かう処理技法を提供することが望まれる。
【発明の概要】
【０００５】
本開示の、ある態様は、干渉軽減装置を提供し、装置は情報を再生するために、受信された信号を処理するように構成され、装置は、第１の副信号を発生するために、第１の干渉信号を感知し、サンプリングする干渉センサとサンプラ；デジタル再構築された干渉信号を発生するために、第１の副信号を回転周波数分だけ回転するデジタルローテータ；デジタル再構築された干渉信号を、受信された信号から派生したデジタル信号と相関させる相関器；およびデジタル再構築された干渉信号に基づいて、受信された信号中の干渉を軽減するために、受信された信号の処理への調整を制御する干渉制御ユニットを具備する。
【０００６】
別の本開示の、ある態様は、干渉軽減装置を提供し、装置は情報を再生するために、受信された信号を処理するように構成され、装置は、デジタルサンプリングされた干渉信号を発生するために、第１の干渉信号を感知およびサンプリングする干渉センサとサンプラ；デジタルサンプリングされた干渉信号に基づいて、デジタル再構築された干渉信号を発生する干渉再構築ユニット；デジタル再構築された干渉信号を、受信された信号から派生したデジタル信号と相関させる相関器；および相関器の出力に基づいて、受信された信号を処理するために使用される無線周波数（ＲＦ）回路ブロックのパラメータへの調整を制
御する干渉制御ユニットを具備する。
【０００７】
更に別の本開示の、ある態様は、干渉軽減装置を提供し、装置は情報を再生するために、受信された信号を処理するように構成され、装置は、第１の副信号を発生するために、第１の干渉信号を感知およびサンプリングする第１の干渉センサとサンプラ；第１の副信号に基づいて、第１のデジタル再構築された干渉信号を発生する干渉再構築ユニット；第１のデジタル再構築された干渉信号に基づいて、受信された信号中の干渉を軽減するために、受信された信号の処理に対する調整を制御する干渉制御ユニット；第２の副信号を発生するために、第２の干渉信号を感知およびサンプリングする第２の干渉センサとサンプラ；第２の副信号に基づいて、第２のデジタル再構築された干渉信号を発生するように更に構成された干渉再構築ユニット；干渉選択制御信号に応答して、第２のデジタル再構築された干渉信号に基づいて、受信された信号中の干渉を軽減するために、受信された信号の処理への調整を制御するように更に構成された干渉制御ユニットを具備する。
【図面の簡単な説明】
【０００８】
【図１】図１は、アナログセクション１０２とデジタルセクション１０４を含むワイヤレスデバイス１００のブロック図を示す。
【図２】図２は、本開示に従う一般化された干渉サンプリングと処理スキームの例示的な実施形態を叙述する。
【図３Ａ】図３Ａは、干渉センサとサンプラ２００が、受信信号経路から信号ｓａｍｐｌｅｒ＿ｏｕｔを発生する可能な方法を叙述する。
【図３Ｂ】図３Ｂは、干渉センサとサンプラ２００が、トランシーバの送信機チェーンの連続するステージを分岐することに基づいて、信号ｓａｍｐｌｅｒ＿ｏｕｔを発生する更なる方法を叙述する。
【図３Ｃ】図３Ｃは、干渉センサとサンプラ２００が、他のセンサ３００、３００ａ、３１０、３２０の出力に基づいて、信号ｓａｍｐｌｅｒ＿ｏｕｔを発生する更なる方法を叙述する。
【図３Ｄ】図３Ｄは、図３Ａ−３Ｃにおける混合器１５２ｄ、１５２ｅ、１５２ｉ、１５２ｊ、１５２ｋに提供される信号ｘ．ｄ、ｘ．ｅ、ｘ．ｉ、ｘ．ｊ、ｘ．ｋに対する可能な選択の例示的な実施形態を叙述する。
【図４Ａ】図４Ａは、同一のトランシーバの送信チェーンによって発生された、受信された信号中の相互変調歪み（ＩＭＤ）をデジタル的に再構築するワイヤレスデバイス３００の設計のブロック図を示す。
【図４Ｂ】図４Ｂは、送信信号のダウンコンバートされたバージョンに基づくデジタルＩＭＤ再構築および検出をもったワイヤレスデバイス４００の設計のブロック図を示す。
【図４Ｃ】図４Ｃは、図３Ａのｓａｍｐｌｅｒ＿ｏｕｔ副信号（ｆ）に基づいてデジタルＩＭＤ再構築および検出を実行しているワイヤレスデバイス４０２の設計のブロック図を示す。
【図４Ｄ】図４Ｄは、送信された信号と必ずしも一致する必要の無いダウンコンバートされた干渉信号のバージョンに基づくデジタルＩＭＤ再構築および検出をもったワイヤレスデバイス４０４の設計のブロック図を示す。
【図４Ｅ】図４Ｅは、ＡＤＣ１４６のデジタル出力に基づくデジタルＩＭＤ再構築および検出をもったワイヤレスデバイス４０６の設計のブロック図を示す。
【図５Ａ】図５Ａは、二次相互変調歪み（ＩＭ２）を発生する干渉再構築ユニットの例示的な実施形態を叙述する。
【図５Ｂ】図５Ｂは、図３ＡにおけるＡＤＣ１５６．dからのｓａｍｐｌｅｒ＿ｏｕｔ副信号（ｄ）に基づいて、ＩＭ２をデジタル的に再構築するＩＭ２発生器１６２ａの設計のブロック図を示す。
【図５Ｃ】図５Ｃは、図３Ａにおけるｓａｍｐｌｅｒ＿ｏｕｔ副信号（ｄ）から派生したダウンコンバートされたＩおよびＱ信号、ＩｄｔｘとＱｄｔｘに基づいて、ＩＭ２をデジタル的に再構築するＩＭ２発生器１６２ｂの設計のブロック図を示す。
【図５Ｄ】図５Ｄは、ＩＭ２発生器１６４の設計のブロック図を示す。
【図５Ｅ】図５Ｅは、ＩＭ２とＩＭ３をデジタル的に再構築するＩＭ２発生器１６６の設計のブロック図を示す。
【図６】図６は、図２の干渉処理および相関ユニット２３０の例示的な実施形態を叙述する。
【図６Ａ】図６Ａは、受信されたＩおよびＱ信号中のＩＭ２を、デジタル的に検出するＩＭ２相関器１７０ａの設計のブロック図を示す。
【図６Ｂ】図６Ｂは、受信されたＩおよびＱ信号中のＩＭ３を、デジタル的に検出するＩＭ３相関器１７０ｂの設計のブロック図を示す。
【図６Ｃ】図６Ｃは、受信されたＩおよびＱ信号中のＩＭ２およびＩＭ３を、デジタル的に検出するＩＭＤ相関器１７０ｃの設計のブロック図を示す。
【図７】図７は、受信された信号から再構築された干渉を相殺する例示的な実施形態を叙述する。
【図８】図８は、図７において叙述されたような干渉相殺メカニズムの特有の設計を示す。
【図９Ａ】図９Ａは、ＩＭＤ条件付けユニット９００の設計のブロック図を示す。
【図９Ｂ】図９Ｂは、ジャマ再構築ユニット９３０の設計のブロック図を示す。
【図１０】図１０は、例えば、セルラ電話のようなワイヤレスデバイスによって干渉の検出と軽減を行うプロセス１０００を示す。
【図１１Ａ】図１１Ａは、シナリオを叙述し、ここで、ジャマは周波数ｆｊにあり、周波数ｆＬＯ＿ｓｐｕｒのＬＯスプリアスは、混合器１４２への入力に存在する。
【図１１Ｂ】図１１Ｂは、周波数ｆＬＯ＿ｓｐｕｒが先験的に知られていると想定して、ジャマをＬＯスプリアスと混合することによってデジタル的に干渉を再構築する、本開示に従う例示的な実施形態を叙述する。
【図１１Ｃ】図１１Ｃは、周波数ｆＬＯ＿ｓｐｕｒが先験的に知られていないで、ｆｊにあるジャマによってデジタル的に干渉を再構築する、本開示に従う例示的な実施形態を叙述する。
【図１２Ａ】図１２Ａは、シナリオを叙述し、ここで、ジャマは周波数ｆｊに存在し、基板雑音は、混合器１４２のＬＯポートに結合されている。
【図１２Ｂ】図１２Ｂは、ｆｊにあるジャマが基板雑音と混合されていることによってデジタル的に干渉を再構築する、本開示に従う例示的な実施形態を叙述する。
【図１２Ｃ】図１２Ｃは、本開示に従う例示的な実施形態を叙述し、ここで、ｓａｍｐｌｅｒ＿ｏｕｔは、ジャマが基板雑音と混合されていることによってデジタル的に干渉を再構築する、２つの副信号（ｄ）および（ｌ）を具備する。
【図１２Ｄ】図１２Ｄは、相対的に周波数の低い基板雑音を取り扱う例示的な実施形態を叙述する。
【詳細な説明】
【０００９】
付属された図面と関係して以下に説明される詳細な記述は、本発明の例示的な実施形態の記述を意図しており、本発明が実行されうる唯一の例示的な実施形態を示すことは意図していない。本記述の全体を通して使用される用語“例示的”は、“例、凡例、または例解として供されること”を意味し、他の例示的な実施形態よりも好ましいとか利点があるといったようには、必ずしも解釈されるべきではない。詳細な記述は、本発明の例示的な実施形態の完全な理解をもたらす目的のための特有の詳細を含む。本技術の当業者にとって、本発明の例示的な実施形態は、これらの特有の詳細無しで実行することが出来ることは明らかであろう。幾つかの例において、良く知られた構造およびデバイスが、本出願において示された例示的な実施形態の新規性を不明瞭にするのを避けるために、ブロック図の形で示される。
【００１０】
本開示に従って、受信機によって受信された信号中に存在する干渉と歪みの様々な形態を検出し、および／または相殺するために技法が提供される。本出願において記述された技法は、ワイヤレスデバイス、基地局、および他の電子的デバイスに対して使用することが出来る。ワイヤレスデバイスは、また、移動局、ユーザ設備、ユーザ端末、加入者ユニット、等とも呼ばれうる。ワイヤレスデバイスは、セルラ電話、パーソナルデジタルアシスタント（ＰＤＡ）、ワイヤレスモデム、ハンドヘルドデバイス、ハンドセット、等でありうる。技法は、また、コード分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、等のような様々な通信システムに対して使用されうる。明瞭化のために、技法は、ＣＤＭＡシステムにおけるワイヤレスデバイスに対して以下で記述される。
【００１１】
図１は、アナログセクション１０２とデジタルセクション１０４を含むワイヤレスデバイス１００のブロック図を示す。アナログセクション１０２は、（ａ）混合器１２４とパワーアンプ（ＰＡ）１２６を有する送信機１１０、ならびに（ｂ）低雑音アンプ（ＬＮＡ）１４０、混合器１４２、およびアナログフィルタ１４４を有する受信機１１２を含む。
【００１２】
送信経路上で、送信（ＴＸ）データプロセッサ１２０は、送信されるであろうデータを処理し、同相（Ｉ）信号、ＩＴＸ、およびデジタル直交（Ｑ）信号、ＱＴＸを提供する。デジタル−アナログコンバータ（ＤＡＣ）１２２は、ＩＴＸおよびＱＴＸを、アナログＩおよびＱ信号に変換する。混合器１２４は、送信局部発信器（ＬＯ）信号を、アナログＩおよびＱ信号で変調し、変調された信号を提供する。送信ＬＯ信号は、ｆＴの周波数にあり、送信ＬＯ信号は、ワイヤレスデバイス１００によるデータ送信に対して使用される周波数チャネルによって決定される。パワーアンプ１２６は、変調された信号を増幅し、送信信号を提供し、送信信号は送受切換器（Ｄｕｐｌｅｘｅｒ）１２８を通してルーティングされ、アンテナ１３０を介して送信される。
【００１３】
受信経路上で、アンテナ１３０は、基地局および様々な干渉源によって送信された信号を受信し、受信された信号を提供する。送受切換器１２８は、受信された信号を、アンテナ１３０からＬＮＡ１４０にルーティングする。ＬＮＡ１４０は、その入力信号を増幅し、増幅された信号を提供する。混合器１４２は、増幅された信号を受信（ＲＸ）ＬＯ信号で復調し、ベースバンドＩおよびＱ信号を提供する。ＲＸ  ＬＯ信号は、ｆＲの周波数にあり、これはワイヤレスデバイス１００によって受信されている周波数チャネルによって決定される。アナログフィルタ１４４は、雑音と他の成分を除去するためにベースバンドＩおよびＱ信号をフィルタし、フィルタされたＩおよびＱ信号を提供する。フィルタ１４４は、後続のデジタル化処理に対するエイリアス除去フィルタリングを実行することが出来る。アナログ−デジタルコンバータ（ＡＤＣ）１４６は、フィルタリングされたＩおよびＱ信号をデジタル化し、デジタルで、事前にデジタル−フィルタされたＩおよびＱ信号、ＩｒｘおよびＱｒｘを提供する。デジタルフィルタ１４８は、受信されたＩおよびＱ信号をフィルタし、デジタルで、受信されたＩおよびＱ信号、ＩＲＸおよびＱＲＸを提供する。フィルタ１４８は、デジタル化処理によって発生された雑音と他の成分を減衰し、興味のある所望の信号を通過させうる。受信（ＲＸ）データプロセッサ１５０は、受信されたＩおよびＱ信号を処理し、デコードされたデータを提供する。
【００１４】
コントローラ／プロセッサ１９０は、ワイヤレスデバイス１００内の様々なユニットの動作を指令する。メモリ１９２は、ワイヤレスデバイス１００に対するデータとプログラムコードを記憶する。
【００１５】
一般的に、受信機は、例えば、スーパーヘテロダインアーキテクチャまたは直接基底帯域（ｄｉｒｅｃｔ−ｔｏ−ｂａｓｅｂａｎｄ）アーキテクチャでもって実現されうる。スーパーヘテロダインアーキテクチャにおいて、受信された信号は、複数のステージにおいて、例えば、１つのステージにおいてＲＦから中間周波数（ＩＦ）に、また別のステージにおいてＩＦから基底帯域に周波数ダウンコンバートされる。直接基底帯域アーキテクチャにおいて、受信された信号は、図１に示されるように、１つのステージにおいてＲＦから直接的に基底帯域に周波数ダウンコンバートされる。スーパーヘテロダインおよび直接
基底帯域アーキテクチャは、異なる回路ブロックを使用する、および／または異なる要求を有することが出来る。送信機は、また、（図１に示されるように）スーパーヘテロダインアーキテクチャまたは直接基底帯域アーキテクチャでもって実現することが出来る。送信機は、他の好適なアーキテクチャ、例えば、ＰＬＬによる搬送波上への基底帯域相の直接変調、そして後続の搬送波の振幅変調でもって実現することも出来る。明瞭化のために、以下の記述は直接基底帯域アーキテクチャに対するものである。
【００１６】
図１は、簡略化されたトランシーバ設計を示す。典型的なトランシーバにおいて、送信および受信経路中の信号は、アンプ、フィルタ、混合器、等の１つあるいはそれより多くのステージによって条件付けされうる。回路ブロックは、また、図１に示された構成と異なってアレンジされうる。更に、図１に示されていない他のブロックも、また、送信および受信経路中の信号を条件付けするために使用されうる。例えば、フィルタおよび／またはアンプは、各混合器の前および／または後に追加されうる。そのような代替的例示的な実施形態は、本開示の範囲内にあると考えられる。
【００１７】
図２は、本開示に従う一般化された干渉サンプリングと処理スキームの例示的な実施形態を叙述する。図２において、干渉センサとサンプラ２００は、所望の信号を破損しうる干渉信号を感知する。これらは、例えば、ＬＮＡ１４０の入力または出力に存在する帯域外ジャマ、チップ基板上の雑音、ＲＸまたはＴＸ局部発信器（ＬＯ）信号中に存在するスプリアス、更にそのような干渉信号の混合物を含む。干渉センサとサンプラ２００の詳細は、図３Ａ−３Ｃを参照しながら本出願において更に開示される。
【００１８】
干渉センサとサンプラ２００は、デジタル出力ｓａｍｐｌｅｒ＿ｏｕｔを干渉再構築ユニット２２０に提供する。ｓａｍｐｌｅｒ＿ｏｕｔは、干渉センサとサンプラ２００によって検出された１つあるいはそれより多くの干渉のタイプのレベルを示す１つあるいはそれより多くの副信号を含みうる。本明細書および請求項において、特に言及しない限り、用語“感知”は、爾後の処理のために、干渉を含んでいる信号または信号の一部を選択する行為を示し、一方、用語“サンプル”は、後に本出願において記述される干渉再構築ユニット２２０への入力信号として適切となるように、感知された干渉信号に適用される処理を示すことに留意されたい。干渉再構築ユニット２２０は（ハードウェア中、またはソフトウェア中で）デジタルが便利であるので、適切な入力信号は、好ましくは、時間および振幅の両方において離散的である信号である。例示的な実施形態において、そのような離散化が必要で無い場合、（例えば、感知された干渉信号が、既にデジタル形であるとき）、“サンプリングされた”信号は、“感知された”信号と同一でありうる。そのような例示的な実施形態は、本開示の範囲内であると考えられる。
【００１９】
干渉センサとサンプラ２００からのｓａｍｐｌｅｒ＿ｏｕｔに基づいて、干渉再構築ユニット２２０は、信号ｒｅｃｏｎｓｔｒｕｃｔ＿ｏｕｔまたは２２０ａを発生する。ｒｅｃｏｎｓｔｒｕｃｔ＿ｏｕｔは、デジタルＲＸ信号ＩＲＸおよびＱＲＸ中に存在することが予期される干渉信号のデジタル再構築である。特に、ｒｅｃｏｎｓｔｒｕｃｔ＿ｏｕｔ２２０ａは、所望のＲＸ信号と同じスペクトラムを占有するであろう干渉信号の一部を含み、従って、フィルタリング単独によっては除去することは出来ない。
【００２０】
ｒｅｃｏｎｓｔｒｕｃｔ＿ｏｕｔ２２０ａは、再構築された干渉２２０ａをＩＲＸおよびＱＲＸと相関させる処理および相関ユニット２３０に提供することが出来る。処理および相関ユニット２３０は、受信されたＲＸ信号中に実際、どの範囲までデジタル的に再構築された干渉が存在するかを決定する。処理および相関ユニット２３０の出力２３０ａは、受信されたＩおよびＱ信号中の干渉が軽減されるように、検出された干渉レベルに基づいて１つあるいはそれより多くの回路ブロックを調整するために、（示されていない）１つあるいはそれより多くの制御信号を発生するであろう干渉制御ユニット２４０に提供される。そのような制御されるであろうブロックの例は、限定ではなく、ＬＮＡ１４０、ＲＸ  ＬＯ発生器、および混合器１４２を含む。以後図７および８を参照しながら記述される代替的な例示的な実施形態において、デジタル的に再構築された干渉は、条件付けされ、デジタル受信された信号から相殺されうる。
【００２１】
例示的な実施形態において、干渉制御ユニット２４０は、例えば、干渉再構築ユニット２２０内のフィルタ特性のような、調整可能なパラメータの調整を制御およびガイドするために、干渉再構築ユニット２２０にフィードバックされた制御信号２４０ａを発生することが出来る。更に、信号２４０ａは、検出された干渉に応答してＲＦ回路のパラメータを調整するために、ＲＦ回路アダプテーション（ａｄａｐｔａｔｉｏｎ）ユニット２５０に提供されうる。示された例示的な実施形態において、ＲＦ回路アダプテーションユニット２５０の出力信号２５０ａは、混合器１４２およびＬＮＡ１４０のパラメータを調整するために提供されうる。本技術の当業者は、図２において示されていない他のＲＦ回路を調整するために、ＲＦ回路アダプテーションユニット２５０の例示的な実施形態を引き出すことが出来、そのような例示的な実施形態は、本開示の範囲内であると考えられる。本技術の当業者は、また、幾つかの例示的な実施形態において、ＲＦ回路アダプテーションユニット２５０の機能性が、干渉制御ユニット２４０中に取り込まれうることを認識するであろう。
【００２２】
図３Ａは、干渉センサとサンプラ２００が、受信信号経路から感知された信号ｓａｍｐｌｅｒ＿ｏｕｔを発生する可能な方法を叙述する。図３Ａにおいて、ｓａｍｐｌｅｒ＿ｏｕｔは、複数の副信号（ａ）−（ｈ）を含んでいるように示される。本技術の当業者は、特有の例示的な実施形態において、干渉センサとサンプラ２００が、示された副信号の全てまたは任意のサブセットを含むｓａｍｐｌｅｒ＿ｏｕｔを発生しうるということを認識するであろう。そのような例示的な実施形態は、本開示の範囲内であると考えられる。図３Ａにおいて、ＩおよびＱ成分を含んでいる信号が、例解の平易さのために、単一のとして示されていることに留意されたい。
【００２３】
図３Ａにおいて、ｓａｍｐｌｅｒ＿ｏｕｔ副信号（ａ）から（ｆ）は、受信機（ＲＸ）信号処理チェーンの連続するステージの出力から感知される。副信号（ａ）は、ＡＤＣ１４６の出力から直接的に感知される。副信号（ｂ）は、ＡＤＣ１４６への入力から感知され、分離されたＡＤＣ１５６．ｂによってデジタル化される。副信号（ｃ）は、アナログフィルタ１４４への入力から感知され、分離されたアナログフィルタ１５４．ｃによってフィルタされうる。副信号（ｄ）は、混合器１４２への入力から感知され、分離された混合器１５２．ｄによってダウンコンバートされうる。混合器１５２．ｄは、ＬＮＡの出力を、信号ｘ．ｄと混合しうる。例示的な実施形態において、信号ｘ．ｄは、図３Ｄを参照しながら本出願において、後に記述される原理に従って選択されうる。混合器１５２．ｄの出力は、アナログフィルタ１５４．ｄによってフィルタされ、ＡＤＣ１５６．ｄによってデジタル化される。副信号（ｅ）は、ＬＮＡ１４０への入力から感知され、分離されたＬＮＡ１５０．ｅ、混合器１５２．ｅ、アナログフィルタ１５４．ｅ、ＡＤＣ１５６．ｅによって処理されうる。ＬＮＡ１５０．ｅは、感知された信号を増幅し、混合器１５２．ｅを使用して信号ｘ．ｅと混合することが出来る。例示的な実施形態において、信号ｘ．ｅは、図３Ｄを参照しながら本出願において、後に記述される原理に従って選択されうる。混合器１５２．ｅの出力は、アナログフィルタ１５４．ｅによってフィルタされ、ＡＤＣ１５６．ｅによってデジタル化されうる。副信号（ｆ）も、ＬＮＡ１４０への入力から感知され、これは、非線形デバイス１７２に供給される。非線形デバイス１７２の出力は、アナログフィルタ１５４．ｆによってフィルタされ、ＡＤＣ１５６．ｆによってデジタル化されうる。
【００２４】
（示されていない）代替的例示的な実施形態において、副信号（ｆ１）は、ＬＮＡ１４０ａの出力から感知され、非線形デバイスに供給されうることに留意されたい。非線形デバイスの出力は、アナログフィルタに提供され、副信号（ｆ１）を発生するためにＡＤＣによってデジタル化されうる。
【００２５】
本技術の当業者は、代替的受信機例示的な実施形態が、自動利得制御（ＡＧＣ）、追加フィルタ、等のような図３Ａに示されていないユニットを採用しうることを認識するであろう。信号ｓａｍｐｌｅｒ＿ｏｕｔは、示されていないステージの出力や入力から感知された追加の副信号を、適切な変形でもって含みうる。そのような例示的な実施形態は、本開示の範囲内と考えられる。
【００２６】
信号ｓａｍｐｌｅｒ＿ｏｕｔは、また、図２において示されたアンテナ１３０から分離した補助のアンテナから感知された（示されていない）追加の副信号を含みうる。例示的な実施形態において、補助のアンテナは、アンテナ１３０よりも目標の干渉源により近くに位置しうるか、または、より良く干渉源に同調された周波数転送特性を有しうる。
【００２７】
図３Ｂは、干渉センサとサンプラ２００が、トランシーバの送信機（ＴＸ）信号処理チェーンの連続するステージを分岐することに基づいて、信号ｓａｍｐｌｅｒ＿ｏｕｔを発生する更なる方法を叙述する。図３Ｂにおいて示される送信機チェーンから干渉するものを感知することは、干渉するものが、例えば、全二重（ｆｕｌｌ−ｄｕｐｌｅｘ）動作の間のバンドパスフィルタの不完全な減衰によって、ＲＸチェーンに漏洩したトランシーバ自身のＴＸ信号であるとき利点がある。図３Ｂにおいて、副信号（ｇ）は、ＴＸデータプロセッサ１２０の出力から直接感知される。副信号（ｈ）は、ＤＡＣ１２２の出力から感知され、これはＡＤＣ１５６．ｈによってデジタル形態に再変換される。副信号（ｉ）は、ＴＸ混合器１２４の出力から感知され、これはフィルタされ、デジタルに変換される前に、混合器１５２．ｇによってダウンコンバートされる。副信号（ｊ）は、パワーアンプ（ＰＡ）１２６の出力から感知され、これはフィルタされ、デジタルに変換される前に、混合器１５２．ｊによってダウンコンバートされる。
【００２８】
本技術の当業者は、代替的送信機例示的な実施形態は図３Ｂに示されていない、増幅ステージ前、追加的フィルタ、等のようなユニットを採用しうることを認識するであろう。信号ｓａｍｐｌｅｒ＿ｏｕｔは、適切な変形でもって、示されていない出力や入力から感知された追加的副信号を含みうる。そのような例示的な実施形態は、本開示の範囲内と考えられる。
【００２９】
図３Ｃは、干渉センサとサンプラ２００が、他のセンサ３００、３００ａ、３１０、３２０の出力に基づいて、信号ｓａｍｐｌｅｒ＿ｏｕｔを発生する更なる方法を叙述する。例示的な実施形態において、任意の他のセンサ３００、３００ａ、３１０、３２０は、図３Ａおよび３Ｂにおいて叙述された副信号（ａ）から（ｊ）までを発生するために使用された信号以外の干渉信号を感知しうる。例えば、センサは、受信機回路が常駐する基板中に存在する基板雑音を感知することが出来る。
【００３０】
図３Ｃにおいて、副信号（ｍ）は、センサ３２０の出力から感知され、これはＡＤＣ１５６．ｍによってデジタル形態に変換される。副信号（ｌ）は、センサ３１０の出力から感知され、これはＡＤＣ１５６．ｌによってデジタル形に変換される前に、アナログフィルタ１５４．ｌによって処理される。副信号（ｋ）は、センサ３００の出力から感知され、これは、フィルタされ、デジタル化される前に、混合器１５２．ｋによってダウンコンバートされる。副信号（ｋｌ）は、センサ３００ａの出力から感知され、アンプ１５１によって増幅され、混合器１５２．ｋｌによってダウンコンバートされ、それからフィルタされデジタル化される。本技術の当業者は、様々な追加的ユニットが、図３Ｃにおいて示された例示的な実施形態に追加しうることを認識するであろう。そして、そのような例示的な実施形態は、また本開示の範囲内と考えられる。
【００３１】
例示的な実施形態において、任意のセンサ３００−３２０は、チップ基板上に存在する雑音のレベルを感知しうる。代替的例示的な実施形態において、任意のセンサ３００−３２０は、また、回路中に存在する他の雑音のレベルをサンプルしうる。
【００３２】
例示的な実施形態において、任意のセンサ３００−３２０は、図１において示されるようなアンテナ１３０よりも、目標とする干渉源に物理的により近く位置しうるアンテナでありうるか、または、より良く干渉源に同調された周波数転送特性を有しうる。
【００３３】
図３Ｄは、図３Ａ−３Ｃの夫々における混合器１５２ｄ、１５２ｅ、１５２ｉ、１５２ｊ、１５２ｋに提供される信号ｘ．ｄ、ｘ．ｅ、ｘ．ｉ、ｘ．ｊ、ｘ．ｋに対する可能な選択の例示的な実施形態を叙述する。図３Ｄにおいて、ｘは、信号ｘ．ｄ、ｘ．ｅ、ｘ．ｉ、ｘ．ｊ、ｘ．ｋの内の任意の１つを示しうる。例示的な実施形態において、ｘは、例えば、通常動作の間、スイッチＳを使用して叙述される任意の選択肢から選択することが出来る。代替的例示的な実施形態において、ｘは、叙述された任意の選択肢の１つに固定することが出来る。
【００３４】
信号ｘに対する第１の選択は、図１における送信局部発信器（ＴＸ  ＬＯ）信号である。この選択は、図４Ｂ−４Ｃに関して本出願において後に記述されるように、再構築されることが所望される干渉が、トランシーバ自身によって発生された送信信号から派生しているとき、利点がある。
【００３５】
信号ｘに対する第２の選択は、図１における受信局部発信器（ＲＸ  ＬＯ）信号である。
【００３６】
信号ｘに対する第３の選択は、選択された周波数を有する任意の他のＬＯである。例えば、例示的な実施形態において、そのような他のＬＯは、図１１Ａに関係して本出願において後に記述されるように、ＲＸやＴＸ  ＬＯのスプリアスの周波数を有するように選択されうる。
【００３７】
信号ｘに対する第４の選択は、任意の干渉信号センサのアナログ出力である。例えば、例示的な実施形態において、センサは、チップ基板上に存在する雑音を検出する基板雑音センサでありうる。本例示的な実施形態の更なる詳細は、図１２Ａ−１２Ｂに関して本出願において記述される。
【００３８】
本開示に従って、ｓａｍｐｌｅｒ＿ｏｕｔ副信号を含む信号ｓａｍｐｌｅｒ＿ｏｕｔは、デジタル的に相互変調歪み（ｐｒｏｄｕｃｔ）、または受信された信号中に存在することが予期される他の干渉条件を再構築するために、干渉再構築ユニット２２０に提供されうる。そのような歪み及び干渉条件（ｔｅｒｍ）は、制限的ではなく、一次線形歪み（例えば、ジャマの直接周波数変換）、二次相互変調歪み（ＩＭ２）、三次相互変調歪み（ＩＭ３）、および／または高次歪みを含みうる。
【００３９】
幾つかの例示的な実施形態において、信号ｓａｍｐｌｅｒ＿ｏｕｔは、図２の処理および相関モジュール２３０に直接パスされうる。即ち、干渉再構築ユニット２２０は、単純なパススルーユニットでありうる。そのような例示的な実施形態は、本開示の範囲内と考えられる。
【００４０】
図３Ａ−３Ｃはｓａｍｐｌｅｒ＿ｏｕｔ副信号の各タイプの１つの例を示しているが、本技術分野の当業者は、ｓａｍｐｌｅｒ＿ｏｕｔが、一般的に任意の副信号の複数の例、および／または他の副信号と任意の副信号の任意の組み合わせを具備しうることを認識するであろう。例えば、ｓａｍｐｌｅｒ＿ｏｕｔは、ｘ．ｄが周波数ｆ１を有する第１の副信号（ｄ）、ｘ．ｄが周波数ｆ２を有する第２の副信号（ｄ）、等を具備する合成信号でありうる。そのような例示的な実施形態は、本開示の範囲内であると考えられる。
【００４１】
本技術の当業者は、図３Ａ−３Ｃに示された干渉センサとサンプラ２００の例示的な実施形態は、その柔軟性により、信号受信の条件に依存して受信された信号中の干渉の異なるタイプを取り扱うように動的に構成されうることを認識するであろう。例えば、干渉センサとサンプラ２００は、代替的に、第１のタイプの干渉が検出されたときは、処理のための第１のｓａｍｐｌｅｒ＿ｏｕｔ副信号を発生し、第２のタイプの干渉が検出されたときは、処理のための第２のｓａｍｐｌｅｒ＿ｏｕｔ副信号を発生するように構成することが出来る。ある例示的な実施形態において、干渉制御ユニット２４０によって提供された制御信号２４０ａは、干渉センサとサンプラ２００によって、どの副信号が発生されうるかを特定する干渉選択制御信号を更に含みうる。ある例示的な実施形態において、干渉選択制御信号は、受信された信号中に存在するであろうと検出された干渉のタイプに基づいて構成されうる。
【００４２】
図４Ａ−４Ｅは、受信された信号中の特別な干渉のタイプの効果を軽減するための、図２の一般的なアーキテクチャの、例示的な実施形態への特有な適用を示す。図４Ａ−４Ｅにおいて叙述された例示的な実施形態は、例解のためのみに供されることを意図しており、図２のアーキテクチャの範囲を叙述された例示的な実施形態に限定することは意味していないことに留意されたい。
【００４３】
図４Ａは、同一のトランシーバの送信チェーンから漏洩した信号に寄与しうる受信された信号中の相互変調歪み（ＩＭＤ）を、デジタル的に再構築するワイヤレスデバイス３００の設計のブロック図を示す。図４Ａにおいて、送信信号の一部は、送受切換器１２８を介してＬＮＡ１４０に漏洩されることが示されている。ＬＮＡ１４０の入力における信号は、従って、アンテナ１３０から受信された信号、およびパワーアンプ１２６からの送信信号漏洩を含む。この特有の干渉を処理するために、受信機は、以下に更に記述されるように、受信機チェーンに漏洩された送信信号の一部を、ｓａｍｐｌｅｒ＿ｏｕｔ副信号（ｇ）に基づいてデジタル的に再構築することが出来る。
【００４４】
図４Ａにおいて、ＩＭＤ再構築および検出は、図３Ｂに示されたｓａｍｐｌｅｒ＿ｏｕｔ副信号（ｇ）に基づいている。副信号（ｇ）の成分（ｃｏｍｐｏｎｅｎｔ）は、ＩＴＸおよびＱＴＸと参照される。ワイヤレスデバイス３００は、図１におけるワイヤレスデバイス１００内の、１２０から１５０、１９０および１９２のユニットを含む。ワイヤレスデバイス３００は、更に、図２における干渉再構築ユニット２２０、干渉処理／相関ユニット２３０、および干渉制御ユニット２４０の夫々に特有の例示的な実施形態である、ＩＭＤ発生器１６０、ＩＭＤ相関器１７０、およびＩＭＤ制御ユニット１８０を含む。図４Ａの例示的な実施形態において、干渉センサとサンプラ２００は、ＴＸデータプロセッサ１２０の信号ＩＴＸおよびＱＴＸと、干渉再構築ユニット２２０間の単純な結合でありうることに留意されたい。代替的に、干渉センサとサンプラ２００は、複数の副信号間で選択的にイネーブルされたｓａｍｐｌｅｒ＿ｏｕｔ副信号でもって、図３Ａ−３Ｃにおいて示されるように実現されうる。
【００４５】
図４Ａにおいて、ＩＭＤ発生器１６０は、デジタルＩおよびＱ信号、ＩＴＸおよびＱＴＸをＴＸデータプロセッサ１２０から受信する。ＩＭＤ発生器１６０は、送信信号によって、デジタル的にＩＭＤを再構築する。ＩＭＤ相関器１７０は、再構築されたＩＭＤ、およびデジタルフィルタから受信されたＩおよびＱ信号、ＩＴＸおよびＱＴＸを受信し、ＩＴＸおよびＱＴＸをデジタル的に再構築されたＩＭＤに相関させる。ＩＭＤ制御ユニット１８０は、相関結果に基づいて、受信されたＩおよびＱ信号中のＩＭＤのレベルを決定する。ＩＭＤ制御ユニット１８０は、１つあるいはそれより多くの回路ブロックを、検出されたＩＭＤレベルに基づいて、例えば受信されたＩおよびＱ信号が低減されるように調整するために、１つあるいはそれより多くの制御を発生する。図４Ａにおいて、ＬＮＡ１４０および混合器１４２の特性は、ＩＭＤ制御ユニットによって調整されるように示されているが、ＬＮＡと混合器ブロックのみの調整に限定はされない。
【００４６】
（図４Ａにおいて叙述されていない）代替的例示的な実施形態において、ＩＭＤ発生器１６０は、図８を参照しながら本出願で後に記述されるように、デジタルフィルタ１４８から、中間ＩおよびＱ信号ＩｉｎｔおよびＱｉｎｔを受信することも出来る。
【００４７】
図４Ａの例示的な実施形態において、ワイヤレスデバイス３００は、送信信号のデジタルバージョンに基づいてＩＭＤを再構築する。これは、余分なアナログ回路を使用すること無しにＩＭＤを再構築する処理を実行することが出来るため、ワイヤレスデバイス３００の設計を単純化することが出来、コストを低減する。
【００４８】
図４Ｂは、送信信号のダウンコンバートされたバージョンに基づくデジタルＩＭＤ再構築および検出をもったワイヤレスデバイス４００の設計のブロック図を示す。この例示的な実施形態において、図３Ａにおけるｓａｍｐｌｅｒ＿ｏｕｔ副信号（ｄ）は、更なる処理のために効率的に選択される。ＴＸ  ＬＯ、またはＴＸ  ＬＯと同一の周波数を有する信号は、副信号（ｄ）を発生するために混合器１５２．ｄに印加される信号ｘ．ｄとして使用されうる。
【００４９】
図４Ｂにおいて、ワイヤレスデバイス４００は、図１におけるワイヤレスデバイス１００内の、１２０から１５０、１９０および１９２のユニットを含む。ワイヤレスデバイス４００は、更に、ＩＭＤ発生器１６２、ＩＭＤ相関器１７０、およびＩＭＤ制御ユニット１８０を含む。ＩＭＤ発生器１６２、ＩＭＤ相関器１７０、およびＩＭＤ制御ユニット１８０は、干渉再構築ユニット２２０、干渉処理／相関ユニット２３０、および干渉制御ユニット２４０の夫々に特有の例示的な実施形態である。
【００５０】
図４Ａのように、図４Ｂにおいて、送信信号の一部が、送受切換器１２８を介してＬＮＡ１４０に漏洩されることが示されている。ＬＮＡ１４０の入力における信号は、従って、アンテナ１３０から受信された信号、およびパワーアンプ１２６からの送信信号漏洩を含む。この特有の干渉源を目標とするために、副信号（ｄ）に対応する発信器信号ｘ．ｄは、図３Ｄを参照しながら先に記述されたように、ＴＸＬＯ信号に設定されうる。
【００５１】
混合器１５２．ｄは、ｘ．ｄを使用して、ＬＮＡ１４０からの増幅された信号を復調する。示された例示的な実施形態において、同一の送信ＬＯ信号は、送信経路中の混合器１２４および干渉サンプリング経路中の混合器１５２．ｄの両方に供給される。アナログフィルタ１５４．ｄは、雑音および他の成分を除去し、フィルタされたＩおよびＱ信号を提供するために、基底帯域ＩおよびＱ信号をフィルタする。ＡＤＣ１５６．ｄは、フィルタされたＩおよびＱ信号をデジタル化し、図４Ｂにおいて、ＩｄｔｘおよびＱｄｔｘと示されたｓａｍｐｌｅｒ＿ｏｕｔ副信号（ｄ）を提供する。ユニット１５２．ｄ、１５４．ｄ、１５６．ｄは、図３Ａにおいて示された干渉センサとサンプラ２００の例示的な実施形態中のｓａｍｐｌｅｒ＿ｏｕｔ副信号（ｄ）を発生するユニットに対応する。
【００５２】
図４Ｂにおいて、ＩＭＤ発生器１６２は、後に図８を参照しながら記述されるように、ＡＤＣ１５６．ｄからＩｄｔｘおよびＱｄｔｘを受信し、またデジタルフィルタ１４８から中間ＩおよびＱ信号ＩｉｎｔおよびＱｉｎｔを受信する。ＩＭＤ発生器１６２は、送信漏洩信号によって、デジタル的にＩＭＤを再構築する。ＩＭＤ相関器１７０は、デジタルＩＭＤ、およびデジタルフィルタ１４８から受信されたＩおよびＱ信号ＩＲＸおよびＱＲＸを受信し、受信されたＩおよびＱ信号をデジタル的に再構築されたＩＭＤに相関させ、相関結果を提供する。ＩＭＤ制御ユニット１８０は、相関結果に基づいて、受信されたＩおよびＱ信号中のＩＭＤのレベルを決定し、１つあるいはそれより多くの回路ブロックに対して、検出されたＩＭＤレベルを低減するために、１つあるいはそれより多くの制御を発生する。前に触れたように、ｓａｍｐｌｅｒ＿ｏｕｔ副信号（ｄ）は、送信信号漏洩の効果を含むが，それは、アンテナ１３０から受信された信号中の所望のＲＸ信号も含むことに留意されたい。その結果、副信号（ｄ）に基づいた任意のＩＭＤ再構築は、また所望のＲＸ信号も含みうる。例示的な実施形態において、しかし、所望のＲＸ信号の大きさは、典型的に干渉信号の大きさよりも、ずっと小さい。例えば、干渉信号は、所望の信号よりも５０−８０ｄＢ高いパワーレベルを有しうる。そのようなケースにおいて、所望の信号の干渉再構築／相殺に対する影響は、無視しうるほどでありうる。
【００５３】
図４Ｂの例示的な実施形態は、ＴＸ  ＬＯと同一の周波数を有している信号ｘ．ｄでもって示されているが、本技術の当業者は、信号ｘ．ｄが、同一のトランシーバのＴＸ  ＬＯに関係付けられた周波数と同一の周波数を有する必要は無いことを認識するであろう。一般的に、ｘ．ｄの周波数は、図４Ｄを参照しながら、本出願において更の記述されるように、所望の信号に干渉を引き起こすことが予期される任意のジャマに同調されうる。そのようなジャマは、限定的ではなく、ＩＥＥＥ  ８０２．１１標準規格、他のセルラ無線標準規格、ブルートゥース（登録商標）プロトコル、および／またはＦＭ無線送信機に従って動作している近傍の（例えば、同一ボードやダイ上に集積された、または物理的に近接した独立デバイス）送信機からの干渉を含みうる。そのような例示的な実施形態は、本開示の範囲内であると考えられる。
【００５４】
図４Ｃは、図３Ａのｓａｍｐｌｅｒ＿ｏｕｔ副信号（ｆ）に基づいてデジタルＩＭＤ再構築および検出を実行しているワイヤレスデバイス４０２の設計のブロック図を示す。ワイヤレスデバイス４０２は、図１におけるワイヤレスデバイス１００内の、１２０から１５０、１９０および１９２のユニットを含む。ワイヤレスデバイス４０２は、更に、ＩＭＤ発生器１６４、ＩＭＤ相関器１７０、およびＩＭＤ制御ユニット１８０を含む。ＩＭＤ発生器１６４、ＩＭＤ相関器１７０、およびＩＭＤ制御ユニット１８０は、干渉再構築ユニット２２０、干渉処理／相関ユニット２３０、および干渉制御ユニット２４０の夫々に特有の例示的な実施形態である。干渉センサおよびサンプラ２００は、図４Ｃにおいて示されるように、または図３Ａ−Ｃにおいて示されるように、複数のｓａｍｐｌｅｒ＿ｏｕｔ副信号の内から選択されたｓａｍｐｌｅｒ＿ｏｕｔ副信号（ｆ）でもって実現されうることに留意されたい。
【００５５】
図４Ｃにおいて、非線形デバイス１７２は、増幅された信号をＬＮＡから受信し、増幅された信号に非線形転送機能を適用する。非線形転送機能は、二乗機能、指数関数機能、等でありえて、送信信号成分を、ＲＦ周波数から基底帯域に効率的にダウンコンバートしうる。アナログフィルタ１５４．ｆは、雑音および他の成分を除去し、フィルタされた信号を提供するために、デバイス１７２からの出力信号をフィルタする。ＡＤＣ１５６．ｆは、フィルタされた信号をデジタル化し、図４ＣにおいてＤｄｔｘとも表示されたｓａｍｐｌｅｒ＿ｏｕｔ副信号（ｆ）を、ＩＭＤ発生器１６４に提供する。ユニット１７２、１５４．ｆ、１５６．ｆは、図３Ａにおいて示された干渉センサおよびサンプラ２００の例示的な実施形態中のｓａｍｐｌｅｒ＿ｏｕｔ副信号（ｆ）を発生するユニットに対応する。
【００５６】
図４Ｄは、送信された信号の漏洩バージョンと必ずしも一致する必要の無いダウンコンバートされた干渉信号のバージョンに基づくデジタルＩＭＤ再構築および検出をもったワイヤレスデバイス４０４の設計のブロック図を示す。図４Ｄにおいて、ＩＭＤ発生器１６８、ＩＭＤ相関器１７０、および制御ユニット１８０は、干渉再構築ユニット２２０、干渉処理／相関ユニット２３０、および干渉制御ユニット２４０の夫々に特有の例示的な実施形態である。
【００５７】
図４Ｄにおいて、ｓａｍｐｌｅｒ＿ｏｕｔ副信号（ｄ）は、ＲＸ  ＬＯと同一の周波数を有する信号ｘ．ｄでもって、図３Ａを参照しながら開示されたように発生されうる。副信号（ｄ）は、干渉周波数検出器５９５に提供され、これは、副信号（ｄ）における１つあるいはそれより多くのジャマに関係付けられた周波数を決定しうる。（示されていない）例示的な実施形態において、干渉周波数検出器５９５は、例えば、干渉周波数が先験的に知られているとき、随意選択的でありうる。この例は、干渉が、１９．２ＭＨｚの水晶発信器のように知られた基準周波数の周知の倍音によるときである。
【００５８】
例示的な実施形態において、干渉周波数検出器５９５は、ディスクリート周波数における副信号（ｄ）中のパワーを、それらの周波数において存在するジャマの可能性を評価するために計算する高速フーリエ変換（ＦＦＴ）モジュールを使用して実現されうる。干渉周波数検出器５９５は、２つの周波数ｃｅｎｔｅｒ＿ｆｒｅｑ１およびｃｅｎｔｅｒ＿ｆｒｅｑ２を、バンドパスフィルタＢＰＦ１  ５９０およびＢＰＦ２  ５９１に、夫々出力することが出来る。ＢＰＦ１  ５９０およびＢＰＦ２  ５９１は、各々、周波数ｃｅｎｔｅｒ＿ｆｒｅｑ１およびｃｅｎｔｅｒ＿ｆｒｅｑ２において副信号（ｄ）中に存在するジャマに対応する５９０ａおよび５９１ａを取得するために副信号（ｄ）をフィルタする。信号５９０ａおよび５９１ａは、それからＩＭＤ発生器１６８に提供することが出来、これは２つのジャマの相互変調歪みを計算することが出来る。例示的な実施形態において、ＩＭＤ発生器１６８は、本出願において図５Ｅを参照して後に記述されるＩＭＤ発生器１６６として実現されうる。代替的に、ＩＭＤ発生器１６８は、本開示に照らして、本技術の当業者に知られたＩＭＤを発生する技法を使用して実現しうる。
【００５９】
図４Ｅは、ＡＤＣ１４６のデジタル出力に基づくデジタルＩＭＤ再構築および検出をもったワイヤレスデバイス４０６の設計のブロック図を示す。ＩＭＤ発生器１６９、相関器１７０、および制御ユニット１８０は、干渉再構築ユニット２２０、干渉処理／相関ユニット２３０、および干渉制御ユニット２４０の夫々に特有の例示的な実施形態である。
【００６０】
図４Ｅにおいて、ｓａｍｐｌｅｒ＿ｏｕｔ副信号（ａ）は、図３Ａを参照しながら開示されるＡＤＣ１４６の出力から感知される。副信号（ａ）は、干渉周波数検出器５９５に提供される。干渉周波数検出器５９５は、周波数ｃｅｎｔｅｒ＿ｆｒｅｑ１をバンドパスフィルタＢＰＦ４９０に出力する。示された例示的な実施形態において、ＢＰＦ４９０は、周波数ｃｅｎｔｅｒ＿ｆｒｅｑ１に基づいて調整可能なセンタ周波数を有する。例示的な実施形態において、周波数ｃｅｎｔｅｒ＿ｆｒｅｑ１はゼロ周波数でありえて、そのケースでは、ＢＰＦ４９０は、実際上、ローパスフィルタである。
【００６１】
ＢＰＦ４９０は、周波数ｃｅｎｔｅｒ＿ｆｒｅｑ１における副信号（ａ）中に存在するジャマの推定値に対応するであろう４９０ａを取得するために副信号（ａ）をフィルタする。信号４９０ａは、それからＩＭＤ発生器１６９に提供され、これは、（示されていない）別の干渉源でもってジャマの相互変調歪みを計算することが出来る。例示的な実施形態において、他の干渉源は、別々に検出され、（示されていない）デジタル化されたジャマでありうる、またはトランシーバ自身によって送信されたＴＸ信号から発生された副信号（ｇ）や（ｄ）に対応しうる。一般的に、干渉周波数検出器５９５は、潜在的ジャマ、およびそのようなジャマの隔離のために提供された（示されていない）対応するＢＰＦユニットの、任意の数の存在を検出するように設計されうる。そのようなジャマは、それから三次またはより高次のＩＭＤを、本開示の技法に従ってデジタル的に再構築するために使用されうる。そのような例示的な実施形態は、本開示の範囲内であると考えられる。
【００６２】
例示的な実施形態において、ＩＭＤ発生器１６９は、ＩＭＤ発生器１６６に供給される入力に適切な変形を行うことで、本出願において図５Ｅを参照しながら記述されたＩＭＤ発生器１６６のように実現されうる。代替的に、ＩＭＤ発生器１６９は、本開示を考慮しながら、ＩＭＤを発生させる本技術分野の当業者に知られた任意の技法を使用しながら実現することが出来る。
【００６３】
例示的な実施形態において、図４Ａ−４Ｅにおけるデジタルフィルタ１４８は、複数のフィルタステージを含みうる。第１のフィルタステージは、比較的広い帯域幅を有することが出来、イメージおよびＡＤＣ１４６による量子化からの量子化雑音を減衰することが出来る。例えば、ＡＤＣ１４６が雑音成型をもったシグマ−デルタＡＤＣである場合、第１のフィルタステージは、ＡＤＣから高周波量子化雑音を減衰させうる。第２のフィルタステージは、狭い帯域幅を有し、所望の信号をパスさせ、ジャマを減衰させうる。第２のフィルタステージは、チャネル選択、ジャマ拒否、雑音フィルタリング、ダウンセンシン
グ、等を実行することが出来る。
【００６４】
本技術分野の当業者は、図４Ａ−４Ｅに叙述された任意の例示的な実施形態に、追加的処理ユニットを追加することが出来ること、そして図面に示されたユニットが、明示的に記述された以上の機能性を有しうることを認識することに留意されたい。例えば、追加的フィルタは信号経路中に置かれうる。例示的な実施形態の他のバリエーションは、本開示を考慮しながら、本技術分野の当業者にとっては明瞭でありえて、本開示の範囲内であると考えられる。
【００６５】
図５Ａ−５Ｅは、図２における干渉再構築ユニット２２０の例示的な実施形態を叙述する。例示的な実施形態は、例解のためのみに示され、本開示の範囲を、示された例示的な実施形態に限定することを意味していないことに留意されたい。
【００６６】
図５Ａは、二次相互変調歪み（ＩＭ２）を発生する干渉再構築ユニットの例示的な実施形態を叙述する。例解の目的のため、図５ＡにおけるＩＭ２発生器１６０ａは、図３Ｂにおいて叙述されたｓａｍｐｌｅｒ＿ｏｕｔ副信号（ｇ）に基づいて、デジタル的にＩＭ２を再構築することが示されている。しかしながら、本技術分野の当業者は、ＩＭ２発生器１６０ａを参照しながら開示された原理が、図３Ａ−３Ｃを参照しながら記述された任意の適切なｓａｍｐｌｅｒ＿ｏｕｔ副信号に基づいて、ＩＭ２を再構築するために変形しうることを認識するであろう。
【００６７】
ＩＭ２発生器１６０ａは、図２における干渉再構築ユニット２２０の機能性の、少なくとも一部を提供することが出来ることに留意されたい。ＩＭ２発生器１６０ａ内において、ルックアップテーブル（ＬＵＴ）５１０は出力ＩおよびＱ信号を受信し、補償されたＩおよびＱ信号を提供する。ルックアップテーブル５１０は、送信経路中の様々な回路ブロック、例えばパワーアンプ１２６、混合器１２４、等の特性を説明しようとする。遅延ユニット５１２は、ルックアップテーブル５１０のＩおよびＱ出力を可変の遅延量だけ遅延させる。調整可能なフィルタ５１４は、遅延ユニット５１２のＩおよびＱ出力を、第１のフィルタ応答でもってフィルタする。例示的な実施形態において、図５Ａにおける１６０ａへの入力が、図３Ｂのｓａｍｐｌｅｒ＿ｏｕｔ副信号（ｉ）または（ｊ）であるとき、調整可能なフィルタ５１４は、ｓａｍｐｌｅｒ＿ｏｕｔ副信号発生のために使用されるコンポーネンツ、例えば、アナログフィルタ１５４．ｉや１５４．ｊおよび／またはＡＤＣ１５６．Ｉや１５６．ｊからのフィルタアウト量子化雑音の特性を等化するように構成することが出来る。１６０ａへの入力が図３Ｂのｓａｍｐｌｅｒ＿ｏｕｔ副信号（ｇ）である例示的な実施形態において、調整可能なフィルタ５１４は、一切のフィルタリングを提供しないように構成することが出来る。
【００６８】
ユニット５１６は、フィルタ５１４からのＩおよびＱ出力の大きさの二乗の和を計算する。調整可能なフィルタ５１８は、第２のフィルタ応答でもって、ユニット５１６の出力をフィルタする。
【００６９】
例示的な実施形態において、ＩＭ２発生器１６０ａは、送受切換器１２８を通した受信経路への送信信号漏洩によって、デジタル的にＩＭ２を再構築する。再構築されたＩＭ２は、受信されたＩＭ２、即ちデジタルフィルタ１４８の出力において感知された、受信されたＩおよびＱ信号中に存在するＩＭ２にマッチするように設計されうる。ＩＭ２発生器１６０ａは、再構築されたＩＭ２にマッチするように受信されたＩＭ２に調整されうる様々なユニットを含む。例えば、遅延ユニット５１２は、再構築されたＩＭ２を、受信されたＩＭ２に時間同期（ａｌｉｇｎ）するように使用されうる。フィルタ５１４および５１８は、再構築されたＩＭ２の周波数応答を、受信されたＩＭ２の周波数応答にマッチするように使用されうる。
【００７０】
例示的な実施形態において、フィルタ５１４は、ＤＡＣ１２２から混合器１４２への送信漏洩信号に適用される様々な回路ブロックの周波数応答に対する責任を持つように設計されうる。フィルタ５１８は、混合器１４２の後、送信漏洩信号によって観察された回路ブロックの周波数応答に対する責任を持つことが出来る。固定フィルタ５２０は、雑音と帯域外成分を除去するために、フィルタ５１８の出力をフィルタし、デジタルＩＭ２、Ｉｉｍ２を提供する。
【００７１】
代替的例示的な実施形態において、フィルタ５１４、５１８、５２０は、任意の所望の周波数応答を複製するように設計されうる。
【００７２】
例示的な実施形態において、フィルタ５１４、５１８は、各々、以下のフィルタ応答（式１）を有する２タップ有限インパルス応答（ＦＩＲ）フィルタとして実現されうる：
ｚ（ｎ）＝（ｃ）・ｘ（ｎ）＋（１−ｃ）・ｘ（ｎ−１）
ここで、ｘ（ｎ）は、感知期間ｎについて、フィルタへの入力信号
ｚ（ｎ）は、感知期間ｎについて、フィルタからの出力信号、および
ｃは、１より小さいフィルタ係数。
【００７３】
例示的な実施形態において、フィルタ５１４に対するｃとして係数ｃ１を使用することが出来、フィルタ５１８に対するｃとして係数ｃ２を使用することが出来る。係数ｃ１および係数ｃ２は、再構築されたＩＭ２が、受信されたＩＭ２の周波数応答にマッチする周波数応答（例えば、ロールオフ（ｒｏｌｌ−ｏｆｆ）やドループ（ｄｒｏｏｐ））を有するように選択されうる。フィルタ５１４および５１８は、また、より高次のＦＩＲフィルタ、無限インパルス応答（ＩＩＲ）フィルタ、または他のタイプのフィルタとして実現されうる。例示的な実施形態において、各係数ｃ１およびｃ２は、再構築された干渉と受信された信号間の相関が最大となるように、適応性をもって選択されうる。
【００７４】
図５Ｂは、図３ＡにおけるＡＤＣ  １５６．Ｄからのｓａｍｐｌｅｒ＿ｏｕｔ副信号（ｄ）に基づいて、ＩＭ２をデジタル的に再構築するＩＭ２発生器１６２ａの設計のブロック図を示す。図５Ｂにおいて、副信号（ｄ）は２つの信号ＩｄｔｘおよびＱｄｔｘを含むように示されている。ＩＭ２発生器１６２ａは、図２における干渉再構築ユニット２２０の機能の少なくとも一部を提供しうる。ＩＭ２発生器１６２ａ内において、遅延ユニット５３０は、ダウンコンバートされたＩおよびＱ信号を、可変遅延量分だけ遅延させる。フィルタ５３２は、デジタル化によって発生された雑音および他の成分を除去するために、遅延ユニット５３０のＩおよびＱ出力をフィルタする。調整可能なフィルタ５３４ａおよび５３４ｂフィルタは、フィルタ５３２のＩおよびＱ出力を、ＩおよびＱに対して別々に調整しうるフィルタ応答でフィルタする。利得ユニット５３６ａおよび５３６ｂは、フィルタ５３４ａおよび５３４ｂの出力を、夫々、ＩおよびＱに対して別々に選択されうる利得ｇ２Ｉおよびｇ２Ｑでもって調節する。例示的な実施形態において、フィルタ５３４ａおよび５３４ｂ、ならびに、利得ユニット５３６ａおよび５３６ｂは、Ｉ２＋Ｑ２の和を計算するために、ＩおよびＱ経路における振幅不均衡をオフセットするように使用されうる。ダウンコンバートされたＩおよびＱ信号、ＩｄｔｘおよびＱｄｔｘは、ＡＤＣ１５６．ｄ、等のような回路ブロックによるＤＣオフセットを有することが出来る。ＤＣループ５３８ａおよび５３８ｂは、利得ユニット５３６ａおよび５３６ｂの出力におけるＤＣオフセットを、夫々除去するように努める。ＤＣループ５３８ａおよび５３８ｂは、また、他の位置、例えば、フィルタ５３２の後や、フィルタ５３４ａおよび５３４ｂの後、等に置くことが出来る。ユニット５４０は、ＩおよびＱ出力の大きさの二乗の和を計算し、デジタルＩＭ２、Ｉｉｍ２を提供する。図５Ｂには示されていないが、ＤＣループは、ユニット５４０の後で加えられ、デジタルＩＭ２からＤＣ成分を除去するために使用されうる。
【００７５】
例示的な実施形態において、ｓａｍｐｌｅｒ＿ｏｕｔ副信号（ｄ）を発生するために混合器１５２．ｄに提供された信号ｘ．ｄは、ＴＸ  ＬＯに対応しうる。代替的例示的な実施形態において、信号ｘ．ｄは、任意のジャマのセンタ周波数に対応する周波数を有することが出来る。
【００７６】
図５Ｃは、図３Ａにおけるｓａｍｐｌｅｒ＿ｏｕｔ副信号（ｄ）から派生したダウンコンバートされたＩおよびＱ信号、ＩｄｔｘとＱｄｔｘに基づいて、ＩＭ２をデジタル的に再構築するＩＭ２発生器１６２ｂの設計のブロック図を示す。ＩＭ２発生器１６２ｂは、図２における干渉再構築ユニット２２０の機能の少なくとも一部を提供しうる。ＩＭ２発生器１６２ｂ内において、ユニット５５０は、ダウンコンバートされたＩおよびＱ信号の大きさの二乗を計算する。遅延ユニット５５２は、ユニット５５０の出力を、可変の遅延量分だけ遅延する。ＤＣループ５５４は、遅延ユニット５５２の出力中のＤＣオフセットを除去し、デジタルＩＭ２、Ｉｉｍ２を提供する。再構築されたＩｉｍ２信号は、受信されたＩおよびＱ信号中のＩＭＤを真似るように意図され、受信されたＩおよびＱ信号（およびそれらの中に包含されるＩＭＤ）は、アナログフィルタ１４４から開始し、デジタルフィルタの後で終了する歪み無しに組み合わされた周波数応答を観察するので、発生されたＩＭ２は、受信されたＩＭ２の周波数応答にぴったりマッチしうる。フィルタリングは、従って、ＩＭ２発生器１６２ｂにおいて省略されうる。
【００７７】
図５Ｄは、ＩＭ２発生器１６４の設計のブロック図を示す。ＩＭ２発生器１６４は、デジタルダウンコンバートされた信号Ｄｄｔｘとも呼ばれるｓａｍｐｌｅｒ＿ｏｕｔ副信号（ｆ）を受信し、デジタルＩＭ２、Ｉｉｍ２を提供する。ｓａｍｐｌｅｒ＿ｏｕｔ副信号（ｆ）に対して、実際のＩＭ２の発生は、非線形デバイス１７２によって実行されうる。ＩＭ２発生器１６４内において、遅延ユニット５６２は、ＡＤＣ１５６．ｆからのデジタルダウンコンバートされた信号Ｄｄｔｘを、可変の遅延量分だけ遅延する。ＤＣループ５６４は、遅延ユニット５６２の出力中のＤＣオフセットを除去し、デジタルＩＭ２、Ｉｉｍ２を提供する。
【００７８】
図５Ａから５Ｄは、４つの特有のＩＭ２発生器設計を示すことに留意されたい。ＩＭ２は、また、他の形態、例えば、他の構成でもって、および／または他のユニットで再構築することが出来る。例えば、図５Ａにおいて、フィルタ５１４および５１８は、１つのフィルタ中に組み合わせる、遅延ユニット５１２をユニット５１６の後に移動する、等が出来うる。別の例として、図５Ｃにおいて、フィルタは、例えば遅延ユニット５５２の前や後に提供することが出来る。一般的に、ＩＭ２は、可変の利得、可変の遅延、調整可能な周波数応答、ＤＣオフセット除去、等、またはそれらの組み合わせで再構築しうる。
【００７９】
図５Ｅは、ＩＭ２とＩＭ３をデジタル的に再構築するＩＭＤ発生器１６６の設計のブロック図を示す。ＩＭＤ発生器１６６は、図２における干渉再構築の機能性の少なくとも一部を提供しうる。
【００８０】
ＩＭＤ発生器１６６は、ＩＭ２発生器５７０およびＩＭ３発生器５８０を含む。ＩＭ２発生器５７０は、例えば、ｓａｍｐｌｅｒ＿ｏｕｔ副信号（ｇ）、即ち図３ＢにおけるＴＸデータプロセッサ１２０からのＩＴＸおよびＱＴＸ、ｓａｍｐｌｅｒ＿ｏｕｔ副信号（ｄ）、即ち図３ＡにおけるＡＤＣ１５６．ｄからのＩｄｔｘおよびＱｄｔｘ、またはｓａｍｐｌｅｒ＿ｏｕｔ副信号（ｆ）、即ち図３ＡにおけるＡＤＣ１５６．ｆからのダウンコンバートされた信号Ｄｄｔｘを受信することが出来る。ＩＭ２発生器５７０は、入力に基づいて、デジタル的にＩＭ２を再構築し、デジタル的に再構築されたＩＭ２、Ｉｉｍ２を提供する。ＩＭ２発生器５７０は、図５ＡにおけるＩＭ２発生器１６０ａ、図５ＢにおけるＩＭ２発生器１６２、図５ＣにおけるＩＭ２発生器１６２ｂ、図５ＤにおけるＩＭ２発生器１６４、または示されていない他の設計を使用して実現しうる。ＩＭ３発生器５８０は、減衰されないか弱く減衰されたジャマでもって（図８を参照しながら本出願において後に記述される）第１のフィルタステージからの中間ＩおよびＱ信号、ＩｉｎｔおよびＱｉｎｔを受信する。ＩＭ３発生器５８０は、更にＩＭ２発生器５７０から再構築されたＩＭ２を受信し、デジタル的にＩＭ３を再構築する。ＩＭ３発生器５８０内において、調整可能な遅延ユニット５８２は、中間ＩおよびＱ信号を、これらの信号中のジャマが、ＩＭ２発生器５７０からの再構築されたＩＭ２と時間整合するように遅延させる。例示的な実施形態において、調整可能な遅延ユニット５８２の遅延は、再構築されたＩＭ３と受信された信号間の相関が最大になるように動的に構成される。例示的な実施形態において、調整可能な遅延ユニット５８２の遅延の一部は、ＩＭ２発生器５７０に関係付けられたデジタル遅延、引くデジタルフィルタ１４８の第１ステージの遅延を考慮に入れることによって予め計算されうる。
【００８１】
フィルタ（例えば、等化器）５８４は、調整可能な遅延ユニット５８２に後行〈または先行〉することが出来、中間ＩおよびＱ信号に含まれるジャマ信号を記憶することが出来る。乗算器５８６ａおよび５８６ｂは、再構築されたＩＭ２と、ジャマを含む遅延されフィルタされた〈例えば、等化された〉ＩおよびＱ信号とを夫々乗算し、デジタルＩＭ３、Ｉｉｍ３およびＱｉｍ３を提供する。
【００８２】
図５Ｅは、特有のＩＭ３発生器設計を示す。本技術の当業者は、ＩＭ３が、他の形態、例えば、他の構成および／または他のユニットによってでも再構築しうることを認識するであろう。例えば、遅延ユニット５８２は、中間ＩおよびＱ信号の代わりに、再構築されたＩＭ２を遅延させることが出来る。別の例として、遅延ユニット５８２の前か後、乗算器５８４ａおよび５８４ｂの後、等に、フィルタを加えることが出来る。一般的に、ＩＭ３は、可変の利得、可変の遅延、調整可能な周波数応答、またはそれらの任意の組み合わせでもって再構築することが出来る。
【００８３】
図５Ｅにおいて示されたＩＭＤ発生器１６６は、また、それらが叙述された代替的なＩおよびＱ信号がもたらされうる。例えば、図４ＤにおけるＢＰＦ５９０の出力からの（ＩおよびＱ信号を具備する）信号５９０ａは、ＩＭ２発生器５７０へのＩおよびＱ入力として提供することが出来、一方、図４ＤにおけるＢＰＦ５９１の出力からの（ＩおよびＱ信号を具備する）信号５９１ａは、ＩＭ３発生器５８０へのＩおよびＱ入力として提供することが出来る。本出願において明示的には列挙されていない代替的信号を、ＩＭＤ発生器１６６に提供する他の例示的な実施形態は、本開示の範囲内であると考えられる。
【００８４】
本技術の当業者は、また、ＩＭ３よりも高次のＩＭＤ歪みが、図３を参照しながら記述された技法を使用して、デジタル的に再構築することが出来ることを認識するであろう。そのような例示的な実施形態は、また本開示の範囲内であると考えられる。
【００８５】
図６は、図２の干渉処理および相関ユニット２３０の例示的な実施形態を叙述する。干渉処理および相関ユニット２３０は、図２の信号ＩＲＸおよびＱＲＸにおける再構築された干渉ｒｅｃｏｎｓｔｒｕｃｔ＿ｏｕｔの存在を、デジタル的に検出する。図６において、２つの相関ユニット６００および６０１は、信号ＩＲＸおよびＱＲＸを、ｒｅｃｏｎｓｔｒｕｃｔ＿ｏｕｔと相関させる。相関の出力は、正規化ユニット６０２および６０３によって正規化され、後続のステージに、ρＩおよびρＱとして提供される。簡略化のために、信号ｒｅｃｏｎｓｔｒｕｃｔ＿ｏｕｔは、図６において、単線〈実信号〉として叙述されることに留意されたい。しかし、代替的例示的な実施形態において、信号は、２つの信号（ＩおよびＱ）を含むことが出来、各々が、別々に、夫々信号ＩＲＸおよびＱＲＸと相関することが出来る。
【００８６】
図６Ａは、受信されたＩおよびＱ信号中のＩＭ２を、デジタル的に検出するＩＭ２相関器１７０ａの設計のブロック図を示す。ＩＭ２相関器１７０ａは、図２における干渉処理および相関ユニット２３０の機能性の少なくとも一部を提供することが出来る。ＩＭ２相関器１７０ａ内で、乗算器６１２ａは、デジタルフィルタ１４８からの入力Ｉ信号、ＩＲＸを、再構築されたＩＭ２、Ｉｉｍ２と乗算する。乗算器６１２ｂは、デジタルフィルタ１４８からの入力Ｑ信号、ＱＲＸを、再構築されたＩＭ２と乗算する。累算器６１４ａおよび６１４ｂは、乗算器６１２ａおよび６１２ｂの出力を、夫々累積する。ユニット６１６ａは、累算器６１４ａの出力の大きさの二乗を計算し、相関されたＩＭ２  Ｉ累乗、Ｃ２Ｉを提供する。ユニット６１６ｂは、累算器６１４ｂの出力の大きさの二乗を計算し、相関されたＩＭ２  Ｑ累乗、Ｃ２Ｑを提供する。Ｃ２ＩおよびＣ２Ｑは、再構築されたＩＭ２と受信されたＩＭ２間の相関の量を示す。
【００８７】
ユニット６２２ａおよび６２２ｂは、受信されたＩおよびＱ信号の大きさの二乗を、夫々計算する。累算器６２４ａは、ユニット６２２ａの出力を累算し、入力Ｉ信号累乗、ＰＩを提供する。累算器６２４ｂは、ユニット６２２ｂの出力を累算し、入力Ｑ信号累乗、ＰＱを提供する。ユニット６２２ｃは、再構築されたＩＭ２の大きさの二乗を計算する。累算器６２４ｃは、ユニット６２２ｃの出力を累算し、再構築されたＩＭ２累乗、Ｐｉｍ２を提供する。
【００８８】
ユニット６１８ａは、相関されたＩＭ２  Ｉ累乗、Ｃ２Ｉを、計算された累乗ＰＩおよびＰｉｍ２に基づいて正規化し、Ｉ信号に対する相関結果ρ２Ｉを提供する。ユニット６１８ｂは、相関されたＩＭ２  Ｑ累乗、Ｃ２Ｑを、累乗ＰＱおよびＰｉｍ２に基づいて正規化し、Ｑ信号に対する相関結果ρ２Ｑを提供する。ＩＭ２に対する相関結果は、（式２）のごとく表されうる：
【数１】
2014057327.tif 000003
【００８９】
ここでＩＲＸ（ｎ）およびＱＲＸ（ｎ）は、感知期間ｎに受信されたＩおよびＱ信号であり、Ｉｉｍ２（ｎ）は、感知期間ｎに再構築されたＩＭ２である。
【００９０】
図６Ｂは、受信されたＩおよびＱ信号中のＩＭ３を、デジタル的に検出するＩＭ３相関器１７０ｂの設計のブロック図を示す。ＩＭ３相関器１７０ｂは、図２における干渉処理および相関ユニット２３０の機能性の少なくとも一部を提供することが出来る。ＩＭ３相関器１７０ｂ内で、乗算器６３２ａは、受信されたＩ信号、ＩＲＸを、再構築されたＩＭ２  Ｉ成分、Ｉｉｍ３と乗算する。乗算器６３２ｂは、受信されたＱ信号、ＱＲＸを、再構築されたＩＭ３  Ｑ成分、Ｑｉｍ３と乗算する。累算器６３４ａおよび６３４ｂは、乗算器６３２ａおよび６３２ｂの出力を、夫々累積する。ユニット６３６ａは、累算器６３４ａの出力の大きさの二乗を計算し、相関されたＩＭ３  Ｉ累乗、Ｃ３Ｉを提供する。ユニット６３６ｂは、累算器６３４ｂの出力の大きさの二乗を計算し、相関されたＩＭ３  Ｑ累乗、Ｃ３Ｑを提供する。Ｃ３ＩおよびＣ３Ｑは、再構築されたＩＭ３と受信されたＩＭ３間の相関の量を示す。ユニット６４２ａおよび６４２ｂは、再構築されたＩＭ３  ＩおよびＱ成分の大きさの二乗を、夫々計算する。累算器６４４ａは、ユニット６４２ａの出力を累算し、再構築されたＩＭ３  Ｉ累乗、Ｐｉｍ３Ｉを提供する。累算器６４４ｂは、ユニット６４２ｂの出力を累算し、ＩＭ３  Ｑ累乗、Ｐｉｍ３Ｑを提供する。ユニット６４２ｃおよび６４２ｄは、受信されたＩおよびＱ信号の大きさの二乗を、夫々計算する。累算器６４４ｃは、ユニット６４２ｃの出力を累算し、入力Ｉ信号累乗ＰＩを提供する。累算器６４４ｄは、ユニット６４２ｄの出力を累算し、入力Ｑ信号累乗ＰＱを提供する。
【００９１】
ユニット６３８ａは、相関されたＩＭ３  Ｉ累乗、Ｃ３Ｉを、累乗ＰＩおよびＰｉｍ３Ｉに基づいて正規化し、Ｉ信号に対する相関結果ρ３Ｉを提供する。ユニット６３８ｂは、相関されたＩＭ３  Ｑ累乗Ｃ３Ｑを、累乗ＰＱおよびＰｉｍ３Ｑに基づいて正規化し、Ｑ信号に対する相関結果ρ３Ｑを提供する。ＩＭ３に対する相関結果は、（式３）のごとく表されうる：
【数２】
2014057327.tif 000004
【００９２】
ここでＩｉｍ３（ｎ）は、感知期間ｎに再構築されたＩＭ３  Ｉ成分であり、Ｑｉｍ３（ｎ）は、感知期間ｎに再構築されたＩＭ３  Ｑ成分である。
【００９３】
図６Ｃは、受信されたＩおよびＱ信号中のＩＭ２およびＩＭ３を、デジタル的に検出するＩＭＤ相関器１７０ｃの設計のブロック図を示す。ＩＭＤ相関器１７０ｃは、図２における干渉処理および相関ユニット２３０の機能性の少なくとも一部を提供することが出来る。ＩＭＤ相関器１７０ｃは、ＩＭ２相関器１７０ａおよびＩＭ３相関器１７０ｂを含む。ＩＭ２相関器１７０ａは、デジタルＩＭ２、Ｉｉｍ２および受信されたＩおよびＱ信号、ＩＲＸおよびＱＲＸを、受信し、図６Ａで記述されたように、ＩＭ２に対する相関結果ρ２Ｉおよびρ２Ｑを発生する。ＩＭ３相関器１７０ｂは、デジタルＩＭ３、Ｉｉｍ３およびＱｉｍ３、および受信されたＩおよびＱ信号、ＩＲＸおよびＱＲＸを、受信し、図６Ｂで記述されたように、ＩＭ３に対する相関結果ρ３Ｉおよびρ３Ｑを発生する。
【００９４】
図６Ａ、６Ｂ、および６Ｃは、３つの特有のＩＭＤ相関器設計を示す。本技術分野の当業者は、図６Ａ−６Ｃに対して記述されたのと同一の結果をもたらす、代替的計算動作が実行出来ることを認識するであろう。本技術分野の当業者は、更に非―ＩＭ干渉の検出が、類推的に実行されうることを認識するであろう。
【００９５】
図２に戻って、干渉制御ユニット２４０は、干渉処理および相関ユニット２３０からの相関結果を受信する。干渉制御ユニット２４０は、図２におけるユニット２５０および調整信号２５０ａの動作によって例解されるように、検出された干渉レベルに基づいて、１つあるいはそれより多くの回路ブロックの動作を調整することが出来る。
【００９６】
例えば、ＩＭ２に対して、干渉制御ユニット２４０は、混合器１４２の動作を、相関結果ρ２Ｉおよびρ２Ｑが許容可能なよう（例えば、最小閾値以下）に調整することが出来る。混合器１４２は、Ｉ経路に対する第１の混合器、およびＱ経路に対する第２の混合器を含む。干渉制御ユニット２４０は、第１の混合器の対称性を、相関結果ρ２Ｉが減少するように調整し、また第２の混合器の対称性を、相関結果ρ２Ｑが減少するように調整することが出来る。干渉制御ユニット２４０は、また、ＩＭ２を改善する（例えば、減少する）ために、ＬＮＡ１４０および／または他の回路ブロックの動作を調整することが出来る。
【００９７】
１つの設計において、ＩＭ２調整は、閉ループ形態で実行される。干渉制御ユニット２４０は、閉ループ形態において、（ａ）各調整後相関結果ρ２Ｉおよびρ２Ｑをモニタすること、（ｂ）相関結果が改善される（例えば、減少する）場合、同一の方向で調整を継続すること、および、（ｃ）相関結果が改悪される（例えば、増加する）場合、反対の方向で調整を行うことによって、混合器１４２、ＬＮＡ１４０および／または他の回路ブロックの動作を調整することが出来る。
【００９８】
別の設計において、ＩＭ２調整は、閾値に基づいて実行される。干渉制御ユニット２４０は、閾値に対して相関結果ρ２Ｉおよびρ２Ｑを比較し、相関結果が閾値より上である場合は、強いＩＭ２レベルと宣言することが出来る。もし、強いＩＭ２レベルが検出された場合、干渉制御ユニット２４０は、混合器１４２、ＬＮＡ１４０および／または他の回路ブロックの動作を調整することが出来る。
【００９９】
ＩＭ３に対し、干渉制御ユニット２４０は、ＬＮＡ１４０、混合器１４２、および／または他の回路ブロックの動作を、相関結果ρ３Ｉおよびρ３Ｑが許容可能なように調整することが出来る。例えば、相関結果ρ３Ｉおよびρ３Ｑは、ＬＮＡ１４０の利得を減少することによって、ＬＮＡ１４０および／または混合器１４２に対して、更なるバイアス電流を使用することによって、ＬＮＡ１４０および／または混合器１４２に対して、より高い供給電圧を使用することによって、等で改善（例えば、減少）されうる。ＩＭ３調整は、例えば、ＩＭ２に対して上述されたように、閉ループ形態で実行されうる。ＩＭ３調整は、また、ＩＭ２に対して上述されたように、閾値に基づいても実行されうる。
【０１００】
図７は、受信された信号から再構築された干渉を相殺する例示的な実施形態を叙述する。図７において、デジタルフィルタ／ＩＭＤ相殺器２５１は、デジタル的に再構築された干渉ｒｅｃｏｎｓｔｒｕｃｔ＿ｏｕｔ２２０ａを干渉再構築ユニット２２０から、また、デジタル信号１４６ａをＡＤＣ１４６から受信する。デジタルフィルタ／ＩＭＤ相殺器２５１は、受信された信号をフィルタし、受信されたＩおよびＱ信号中の干渉にマッチングする信号を発生するためにデジタル干渉信号を条件付けし、および、更に受信された信号から条件付けられた干渉信号を引き算するか相殺する。デジタルフィルタ／ＩＭＤ相殺器
２５１は、更に、ＩおよびＱ信号を干渉相殺の前か後にフィルタし、信号ＩＲＸおよびＱＲＸを提供することが出来る。
【０１０１】
図８は、図７において叙述されたような干渉相殺メカニズムの特有の設計を示す。図８において、ＩＭＤ発生器１６６は、図７における干渉再構築ユニットの機能性の少なくとも一部を提供することが出来、一方、ＩＭＤ相殺器８５０は、デジタルフィルタ／干渉相殺器２５１の機能性の少なくとも一部を提供することが出来る。
【０１０２】
図８において、ＩＭＤ発生器１６６は、ＩＭ２発生器８３２およびＩＭ３発生器８３４を含む。ＩＭ２発生器８３２は、ｓａｍｐｌｅｒ＿ｏｕｔ副信号（ｄ）、即ちダウンコンバートされたＩおよびＱ信号ＩｄｔｘおよびＱｄｔｘを、ＡＤＣ１５６．ｄから受信し、デジタルＩＭ２、Ｉｉｍ２を提供する。ＩＭ２発生器８３２は、例えば、図５ＢにおけるＩＭ２発生器１６２、図５ＣにおけるＩＭ２発生器１６２ｂ、または幾つかの他のＩＭ２発生器を使用して実現することが出来る。ＩＭ２条件付けユニット８４２は、デジタルＩＭ２を、ＩＭ２発生器８３２から受信し、条件付けされたＩＭ２、Ｉｃｉｍ２およびＱｃｉｍ２を提供する。
【０１０３】
ＩＭ３発生器８３４は、再構築されたデジタルＩＭ３、Ｉｉｍ３およびＱｉｍ３を発生する。ＩＭ３発生器８３４は、再構築されたＩＭ２をＩＭ２発生器８３２から、また再構築されたジャマ信号をジャマ再構築ユニット８３６から受信する。ＩＭ３発生器８３４は、図５ＥにおけるＩＭ３発生器５８０、または他の任意のＩＭ３発生器で実現することが出来る。ＩＭ３条件付けユニット８４４は、デジタルＩＭ３を、ＩＭ３発生器８３４から受信し、条件付けされたＩＭ３、Ｉｃｉｍ３およびＱｃｉｍ３を提供する。ユニット８４２および８４４は、図９Ａを参照しながら後述されるように実現することが出来る。
【０１０４】
ジャマ再構築ユニット８３６は、中間ＩおよびＱ信号、ＩｉｎｔおよびＱｉｎｔを、デジタルフィルタ／干渉相殺器８５０から受信し、再構築されたジャマ信号、ＩＪおよびＱＪをＩＭ３発生器に提供する。ユニット８３６は、図４Ｄ−４Ｅを参照しながら先に記述されたように、または図９Ｂを参照しながら後に記述されるように、あるいは本出願において明示的には記述されていない代替的技法を使用して実現することが出来る。
【０１０５】
デジタルフィルタ／干渉相殺器８５０は、遅延ユニット８１２と８１８、第１のフィルタステージ８１４、および第２のフィルタステージ８２２を含む。第１のフィルタステージ８１４は、ＡＤＣ１４６からのイメージおよび高周波数量子化雑音を減衰することが出来る。第２のフィルタステージ８２２は、チャネル選択、ジャマ拒否、雑音フィルタリング、ダウンセンシング、等を実行することが出来る。デジタルフィルタ／干渉相殺器８５０は、更に、受信された信号からデジタル的に再構築された干渉を引き算する加算器８１６および８２０を含む。遅延ユニット８１２は、受信されたＩおよびＱ信号、ＩｒｘおよびＱｒｘを、ＩＭ２発生器８３２およびＩＭ２条件付けユニット８４２の遅延にマッチするように、遅延する。加算器８１６ａは、条件付けされたＩＭ２  Ｉ成分、Ｉｃｉｍ２を、第１のフィルタステージ８１４のＩ出力から引き算し、中間Ｉ信号、Ｉｉｎｔを提供する。加算器８１６ｂは、条件付けされたＩＭ２  Ｑ成分、Ｑｃｉｍ２を、第１のフィルタステージ８１４のＱ出力から引き算し、中間Ｑ信号、Ｑｉｎｔを提供する。遅延ユニット８１８は、中間ＩおよびＱ信号を、ＩＭ３発生器８３４およびＩＭ３条件付けユニット８４４の遅延にマッチするように、遅延する。加算器８２０ａは、条件付けされたＩＭ３  Ｉ成分、Ｉｃｉｍ３を、遅延ユニット８１８のＩＱｃｉｍ３を、遅延ユニット８１８のＱ出力から引き算する。ユニット８４２および加算器８１６ａと８１６ｂは、ＩＭ２相殺を実行する。ユニット８４４および加算器８２０ａと８２０ｂは、ＩＭ３相殺を実行する。
【０１０６】
図８は、干渉再構築ユニット２２０およびデジタルフィルタ／干渉相殺器２５１の特有の設計を示す。干渉は、また他の形態で相殺されうる。例えば、ＩＭ２およびＩＭ３レベルは検知することが出来、ＩＭ２レベルがＩＭ３レベルより高い場合、ＩＭ２はＩＭ３に先立って相殺され、ＩＭ３レベルがＩＭ２レベルより高い場合、ＩＭ３はＩＭ２に先立って相殺されうる。本技術の当業者は、一層一般化された干渉のタイプに対する相殺アーキテクチャが、本開示を参照しながら、た易く引き出しうることを認識するであろう。
【０１０７】
図９Ａは、ＩＭＤ条件付けユニット９００の設計のブロック図を示す。ユニット９００は、図８におけるＩＭ２条件付けユニット８４２の機能性の少なくとも一部を提供することが出来、このケースで、ユニット９００は、ＩおよびＱ入力に対して、デジタルＩＭ２、Ｉｉｍ２およびＱｉｍ２を受信することが出来、条件付けされたＩＭ２、Ｉｃｉｍ２およびＱｃｉｍ２を提供しうる。ユニット９００は、また、ＩＭ３条件付けユニット８４４の機能性の少なくとも一部を提供することが出来、このケースで、ユニット９００は、ＩおよびＱ入力に対して、デジタルＩＭ３、Ｉｉｍ３およびＱｉｍ３を受信することが出来、条件付けされたＩＭ３、Ｉｃｉｍ３およびＱｃｉｍ３を提供しうる。
【０１０８】
ＩＭＤ条件付けユニット９００内で、利得ユニット９１０ａと９１０ｂは、ＩおよびＱ入力を利得ｇＩおよびｇＱで、夫々スケーリングする。フィルタ９１２ａと９１２ｂは、利得ユニット９１０ａと９１０ｂの出力を、調整可能なフィルタ応答で、夫々フィルタする。遅延ユニット９１４ａおよび９１４ｂは、フィルタ９１２ａと９１２ｂの出力を、夫々、可変な遅延量で遅延する。フィルタ９１６ａと９１６ｂは、遅延ユニット９１４ａおよび９１４ｂの出力を、調整可能なフィルタ応答で、夫々フィルタし、条件付けられたＩＭ２またはＩＭ３を提供する。
【０１０９】
例示的な実施形態において、図７での干渉制御ユニット２４０は、再構築された干渉に対する相関結果を受信することが出来、条件付けられたＩＭ２およびＩＭ３が、夫々、受信されたＩＭ２およびＩＭ３に、出来る限り近接してマッチするように、ＩＭＤ条件付けユニット９００内で様々なユニットを調整することが出来る。利得ｇＩおよびｇＱは、条件付けられたＩＭ２およびＩＭ３の大きさが、夫々、受信されたＩＭ２およびＩＭ３の大きさにマッチするように選択することが出来る。フィルタ９１２ａ、９１２ｂ、９１６ａ、および９１６ｂは、条件付けられたＩＭ２およびＩＭ３の周波数応答が、夫々、受信されたＩＭ２およびＩＭ３の周波数応答にマッチするように調整することが出来る。例えば、フィルタ９１２ａおよび９１２ｂは、条件付けられたＩＭ２およびＩＭ３中のロールオフまたはドループが、受信経路における様々な回路ブロックによる受信されたＩおよびＱ信号中のドループにマッチするように提供することが出来る。遅延ユニット９１４ａおよび９１４ｂは、条件付けられたＩＭ２およびＩＭ３が、受信されたＩＭ２およびＩＭ３と時間整合するように調整することが出来る。干渉制御ユニット２４０は、全ての調整可能なパラメータ（例えば、利得、遅延、周波数応答、等）を循環し、一度に１つのパラメータを調整することが出来る。各々のパラメータに対し、干渉制御ユニット２４０は、異なる値を適用し、良好なＩＭＤ相殺を示す、最も低い相関結果を提供する値を選択することが出来る。干渉制御ユニット２４０は、また、複数または全てのパラメータを共同で調整することが出来る。
【０１１０】
別の設計において、ＩＭＤ条件付けユニットは、相関結果に基づいて調整されうる係数を有する適応フィルタで実現される。例えば、適応フィルタは、Ｉｉｍ３を受信することが出来、相関結果ρ３Ｉに基づいて調整されうる係数のセットに基づいてＩｃｉｍ３を発生することが出来る。適応フィルタは、また、Ｉｃｉｍ２、Ｑｃｉｍ２およびＱｃｉｍ３を発生するために使用されうる。適応フィルタに対する係数調整は、最小平均２乗（ＬＭＳ）、再帰最小２乗（ＲＬＳ）、直接マトリックス反転（ＤＭＩ）のような様々なアルゴリズムに基づくことが出来る。例示的な実施形態において、そのような適応アルゴリズムは、図８におけるユニット１７０によって提供される相関値に基づくコスト機能を最小化するために探されうる。代替的例示的な実施形態において、コスト機能は、受信機性能の指標、例えばフレーム誤差レートでありうる。
【０１１１】
図９Ｂは、ジャマ再構築ユニット９３０の設計のブロック図を示す。ユニット９３０は、図８におけるジャマ再構築ユニット８３６の機能性の少なくとも一部を提供することが出来る。ユニット９３０内で、利得ユニット９２０ａおよび９２０ｂは、中間Ｉ信号、Ｉｉｎｔを受信し、スケーリングする。利得ユニット９２０ｃおよび９２０ｄは、中間Ｑ信号、Ｑｉｎｔを受信し、スケーリングする。利得ユニット９２０ａから９２０ｄまでは、ジャマのＩ／Ｑ振幅および相不均衡を補正するために使用されうる。加算器９２２は、ユニット９２０ａからスケーリングされたＩｉｎｔ、およびユニット９２０ｃからスケーリングされたＱｉｎｔを加算する。加算器９２２ｂは、ユニット９２０ｂからスケーリングされたＩｉｎｔ、およびユニット９２０ｄからスケーリングされたＱｉｎｔを加算する。フィルタ９２４ａは、加算器９２２の出力をフィルタし、ジャマＩ信号、ＩＪを提供する。フィルタ９２４ｂは、加算器９２２ｂの出力をフィルタし、ジャマＱ信号、ＱＪを提供する。フィルタ９２４ａおよび９２４ｂは、再構築されたジャマＩおよびＱ信号を、“受信された経路の周波数応答中のドループを相殺するようにアンドループ（ｕｎｄｒｏｏｐ）”（即ち、等化）するように設計されたローパスまたはバンドパスフィルタでありうる。例示的な実施形態において、フィルタ９２４ａおよび９２４ｂは、示された利得ユニット９２０ａから９２０ｄまでに後続というよりは、先行しうる。
【０１１２】
干渉を再構築、相関、および／または相殺する幾つかの技法は、それらのＩＭ２およびＩＭ３への適用への特有の言及で記述されてきたが、当業者は、開示された技法が、図１１−１２を参照しながら後述されるように、他のタイプの干渉に適用されうるように容易に適合することが出来ることを認識するであろう。そのような、例示的な実施形態は、本開示の範囲内と考えられる。
【０１１３】
図１０は、例えば、セルラ電話のようなワイヤレスデバイスによって干渉の検出と軽減を行うプロセス１０００を示す。デバイスは、干渉源をサンプリングし、サンプルリングされた干渉に基づいて、デジタル的に干渉を再構築し（ステップ１０１２）、そして、再構築された干渉に基づいて、デジタル的に入力信号中の干渉を決定する（ステップ１０１４）。例えば、デバイスは、デジタルＩＭ２を取得し、デジタルＩＭ２に基づいて、入力信号中のＩＭ２を決定することが出来る。代替的に、または追加的に、デバイスは、デジタルＩＭ３を取得し、デジタルＩＭ３に基づいて、入力信号中のＩＭ３を決定することが出来る。サンプリングされた干渉は、図３Ａ−３Ｃにおいて示されるような任意の源から感知されうる。ステップ１０１２において、デバイスは、図３Ａ−３Ｃにおいて示されたｓａｍｐｌｅｒ＿ｏｕｔ副信号の任意の信号に基づいて、デジタル的に干渉を再構築することが出来る。
【０１１４】
ステップ１０１４において、デバイスは、デジタル再構築された干渉を、デジタル受信された信号に相関させ、相関結果に基づいて、デジタル受信された信号中の干渉のレベルを決定することが出来る。例えば、ＩＭ２に対して、デバイスは、相関されたＩＭ２  ＩおよびＱ累乗（ｐｏｗｅｒ）を取得するために、デジタルＩＭ２を受信されたＩおよびＱ信号に相関させ、デジタルＩＭ２の累乗を決定し、受信されたＩおよびＱ信号の累乗を決定し、そして、例えば、図６Ａにおいて示されるように、累乗の全てに基づいて、ＩＭ２に対する相関結果を決定する。ＩＭ３に対して、デバイスは、相関されたＩＭ３  Ｉ累乗を取得するために、デジタルＩＭ３  Ｉ成分を、入力Ｉ信号に相関させ、デジタルＩＭ３の累乗を決定し、デジタルＩＭ３  ＩおよびＱ成分の累乗を決定し、受信されたＩおよびＱ信号の累乗を決定し、そして、例えば、図６Ｂにおいて示されるように、累乗の全てに基づいて、ＩＭ３に対する相関結果を決定する。
【０１１５】
ステップ１０１５において、デバイスは、干渉が十分な程度まで抑制されたかを決定することが出来る。もし、はい、である場合、デバイスは、終了まで進み、方法は中断する。ある例示的な実施形態において、方法は周期的に実行される。もし、いいえ、である場合、デバイスは、ステップ１０１６およびステップ１０１８−１０２０によって規定される経路の１つまたは両方に沿って進みうる。
【０１１６】
ステップ１０１６において、デバイスは、デジタル受信された信号から決定された干渉のレベルに基づいて、受信機における少なくとも１つの回路ステップの動作を調整することが出来る。調整は、上記のように、相関結果に基づくことが出来る。例えば、デバイスは、決定されたＩＭ２に基づいて、受信機中の混合器の動作を調整し、ＩＭ３等に基づいて、受信機中のＬＮＡの利得および／または線形性を調整することが出来る。デバイスは、閾値、等に基づいて、閉ループ形態で調整を実行することが出来る。
【０１１７】
代替的、または追加的に、デバイスは、デジタル受信された信号中に存在する干渉にマッチする、条件付けられた干渉を取得するために、デジタル干渉を条件付け（ステップ１０１８）することが出来、条件付けられた干渉を受信された信号から引き算または相殺（ステップ１０２０）することが出来る。例えば、デバイスは、条件付けられたＩＭ２を、デジタル的に再構築されたＩＭ２に基づいて抽出し、入力信号から条件付けられたＩＭ２を引き算することが出来る。デバイスは、また、条件付けられたＩＭ３を、デジタル的に再構築されたＩＭ３に基づいて抽出し、入力信号から条件付けられたＩＭ３を引き算することが出来る。デバイスは、ＩＭ２および／またはＩＭ３の満足のいく相殺を実現するために、可変利得、可変遅延、調整可能な周波数応答、等でもって、条件付けられたＩＭ２、および／またはＩＭ３を抽出することが出来る。デバイスは、また、図３Ａ−３Ｃにおいて示されたｓａｍｐｌｅｒ＿ｏｕｔの副信号から再構築されたデジタル干渉に基づいて、条件付けられた干渉を抽出することが出来る。
【０１１８】
デジタル干渉は、従って、（ａ）ステップ１０１６において示されたように、受信機中の少なくとも１つの回路ブロックを調整し、（ｂ）ステップ１０１８および１０２０において示されたように、条件付けられた干渉を抽出し、受信された信号から条件付けられた干渉を相殺し、および（ｃ）少なくとも１つの回路ブロックの動作を調整すると共に、条件付けられた干渉を抽出し、受信された信号からの条件付けられた干渉を相殺するために使用されうる。
【０１１９】
ステップ１０１６および／またはステップ１０１８−１０２０が完了すると、方法は、干渉源を再びサンプリングするために、ステップ１０１２に戻る。代替的に、（示されていない）例示的な実施形態において、方法は、ステップ１０１５に戻ることが出来ると同時に、ステップ１０１２および１０１４は、バックグラウンドで継続的に実行される。
【０１２０】
図１１Ａ−１１Ｃおよび１２Ａ−１２Ｃは、受信された信号中に存在する特別な干渉源を相殺する例示的な実施形態への、図２の一般的なアーキテクチャの更なる特有の応用を示す。叙述された例示的な実施形態は、例解のためのみに供されることを意図しており、図２の一般的なアーキテクチャの範囲を、任意の開示された特別のスキームに限定することを意味してはいないことに留意されたい。
【０１２１】
図１１Ａは、ジャマが周波数ｆｊにあり、周波数ｆＬＯ＿ｓｐｕｒのＬＯスプリアスが混合器１４２への入力に存在する場合のシナリオを叙述する。ＬＯスプリアスは、ＲＸ  ＬＯ自身によって発生されるスプリアスであるか、基板または他の回路を通して結合することによって混合器１４２の入力に漏洩するＴＸ  ＬＯのスプリアスでありうる。ＬＯスプリアスは、ジャマを基底帯域周波数｜ｆｊ−ｆＬＯ＿ｓｐｕｒ｜にダウンコンバートし、ここでジャマは所望の信号に干渉を引き起こす。
【０１２２】
図１１Ｂは、周波数ｆＬＯ＿ｓｐｕｒが先験的に知られていると想定して、ジャマにＬＯスプリアスを混合することによって、デジタル的に干渉を再構築する本開示に従う例示的な実施形態を叙述する。図１１Ｂにおいて、ｓａｍｐｌｅｒ＿ｏｕｔ副信号（ｄ）に対応する受信されたチェーンは、ＬＮＡ出力１４０ａを基底帯域に混合するために採用される。混合器１５２．ｄは、ダウンコンバートされたジャマがＲＸ  ＬＯまたはＴＸＬＯと混合されることが予期されているかに依存して、周波数ｆＲＸ＿ＬＯまたはｆＴＸ＿ＬＯにおいてＬＯでもって提供される。混合器１５２．ｄの出力は、ｆｊ周波数において中央化されたジャマが、新規の中央化された周波数（ｆｊ−ｆＲＸ＿ＬＯ）または（ｆｊ−ｆＴＸ＿ＬＯ）にシフトされたバージョンを含む。ＡＤＣ１５６．ｄによるデジタル化に後続して、ｓａｍｐｌｅｒ＿ｏｕｔ副信号（ｄ）は、フィルタ１１００およびデジタル周波数回転器１１１０に提供され、これらは図２における干渉再構築ユニット２２０の特有の例示的な実施形態でありうる。
【０１２３】
例示的な実施形態において、デジタルフィルタ１１００は、ＡＤＣ出力雑音フィルタリングを提供するように、またはアナログフィルタ１５４．ｄの特性を補償するように設計される。代替的例示的な実施形態は、デジタルフィルタ１１００を取り込む必要は無いことに留意されたい。デジタル周波数回転器１１１０は、残余の信号を、周波数（ｆＲＸ＿ＬＯ−ｆＬＯ＿ｓｐｕｒ）分または（ｆＴＸ＿ＬＯ−ｆＬＯ＿ｓｐｕｒ）分だけシフトまたは回転するように設計されうる。周波数回転は、ジャマをＬＯスプリアスと混合することによって、受信された信号に引き起こされた干渉のデジタルバージョンを再構築する。代替的例示的な実施形態において、周波数シフティングは、また、今周波数（ｆｊ−ｆＲＸ＿ＬＯ）または（ｆｊ−ｆＴＸ＿ＬＯ）におけるデジタル化されたジャマを、周波数（ｆＲＸ＿ＬＯ−ｆＬＯ＿ｓｐｕｒ）または（ｆＴＸ＿ＬＯ−ｆＬＯ＿ｓｐｕｒにおけるＬＯスプリアスの局地的に発生されたバージョンと乗算することによって達成されうる。デジタル周波数回転の技法は、本技術においてよく知られており、本出願においては更には記述されないことに留意されたい。
【０１２４】
干渉を隔離するために、相関ユニット２３０および干渉制御ユニット２４０に適用する前に、その動作が本出願において前述されたようなフィルタ１１２０は、デジタル周波数回転器１１１０に続いて適用されうる。例示的な実施形態において、フィルタ１１２０は、予期された干渉周波数に中央化されたバンドパスフィルタでありうる。選択的に、干渉制御ユニット２４０は、利用可能であれば、ＬＯスプリアスを調整するために干渉相殺メカニズムまたは較正メカニズムに提供されうる。そのようなメカニズムは、例えば、スプリアスを減少する局部発信器に提供される、バイアス電流を増加させるためのモジュール
でありうる。
【０１２５】
図１１Ｃは、周波数ｆＬＯ＿ｓｐｕｒが先験的に知られていないで、ｆｊにあるジャマによって、デジタル的に干渉を再構築する本開示に従う例示的な実施形態を叙述する。図１１Ｃにおいて、追加の周波数サーチユニット１１５０が提供される。周波数サーチユニット１１５０は、デジタル周波数回転器１１１０に、再構築された干渉の候補を発生するために候補の周波数１１５０ａ分だけ信号を回転し、候補周波数１１５０ａに中央化されたバンドパスフィルタを用いて回転された信号をフィルタし、および相関ユニット２３０によって計算された対応する相関係数を収集するように命令することが出来る。周波数サーチユニット１１５０は、従って、最大の相関を発生する最適な候補周波数が決定されるまで、候補周波数の範囲にわたって反復することが出来る。それから、本出願で開示されまたは較正するために最適な候補周波数が使用されうる。例示的な実施形態において、受信機の通常の動作の間、候補周波数は継続的にモニタされ、更新されうる。
【０１２６】
当業者は、図１１Ｂ−１１Ｃにおいて叙述されたアーキテクチャの更なるバリエーションが可能であることを認識するであろう。例えば、ｓａｍｐｌｅｒ＿ｏｕｔ副信号（ｂ）および（ｃ）は、図１１Ｂ−１１Ｃにおいて叙述された副信号（ｄ）の代わりに提供することが出来る。代替的に、ｓａｍｐｌｅｒ＿ｏｕｔ副信号（ａ）は、ジャマを隔離するために、デジタル的にフィルタされ（例えば、バンドパスフィルタされ）うる。そして、ＲＸ信号中に存在することが予期される干渉を取得するために、周波数（ｆＬＯ＿ｓｐｕｒ−ｆＲＸ＿ＬＯ）分だけデジタル的に回転されうる。
【０１２７】
図１２Ａは、シナリオを叙述し、ここで、ジャマはＲＸ  ＬＯに近接した周波数ｆｊに存在し、またＲＸ  ＬＯに近接した高周波基板雑音は、混合器１４２のＬＯポートに結合されている。基板雑音は、ジャマを示されたように基底帯域にダウンコンバートし、ここで、ジャマは所望の信号に干渉を引き起こしうる。
【０１２８】
図１２Ｂは、ｆｊにあるジャマが高周波基板雑音と混合されていることによって、デジタル的に干渉を再構築する本開示に従う例示的な実施形態を叙述する。図１２Ｂにおいて、高周波基板雑音がＲＸ  ＬＯ中に結合されていると想定され、従って、ＬＮＡ信号をダウンコンバートする。この効果を最小化するために、ｓａｍｐｌｅｒ＿ｏｕｔ副信号（ｄ）が、混合器１５２．ｄを使用して、即ち、例えば、図３Ｄに従って、ｘ．ｄが基板雑音センサ出力に設定され、ＬＮＡ出力をアナログ基板雑音センサ１２０１と混合することによって発生される。ｓａｍｐｌｅｒ＿ｏｕｔ副信号（ｄ）は、ＡＤＣ出力から雑音を除去
するために、デジタルフィルタ１２００によってフィルタすることが出来、それから本開示に従って、相関ユニット２３０および干渉制御ユニット２４０に提供されうる。
【０１２９】
当業者は、図１２Ｂが、受信された信号を基底帯域にダウンコンバートするために、混合器のＬＯポートに結合された高周波基板雑音の効果を取り扱う技法を叙述しているが、（示されていない）代替的例示的な実施形態において、本技法は、また混合器１４２のＲＦ入力（即ち、受信された信号入力）に直接結合された高周波基板雑音に適用することが出来ることを認識するであろう。そのような例示的な実施形態において、図３Ｃにおける信号センサ３００は、基板雑音を感知するように構成されうる。信号センサ３００出力は、それから、フィルタ１５４．ｋによってフィルタされ、ＡＤＣ１５６．ｋによってデジタル化される前に、ＲＸ  ＬＯを使用して混合器１５２．ｋによってダウンコンバートすることが出来る。デジタル化された基板雑音は、続いて、既に記述された技法を使用して、受信された信号と相関され、または相殺される。例示的な実施形態において、フィルタ１５４．Ｋは、当業者に知られているバンドパスＡＤＣでありうる。
【０１３０】
図１２Ｃは、本開示に従う例示的な実施形態を叙述し、ここで、ｓａｍｐｌｅｒ＿ｏｕｔは、ジャマが基板雑音と混合されていることによって、デジタル的に干渉を再構築する２つの副信号（ｄ）および（ｌ）を具備する。図１２Ｃにおいて、ｓａｍｐｌｅｒ＿ｏｕｔ副信号（ｄ）は、高周波局部発信器信号、例えばＲＸ  ＬＯによってダウンコンバートされたＬＮＡ出力１３０ａのデジタル化されたバージョンである。ｓａｍｐｌｅｒ＿ｏｕｔ副信号（ｄ）は、ダウンコンバートされたジャマの周波数に同調されたバンドパスフィルタ特性を有しうるデジタルフィルタ１２０５に提供される。フィルタ１２０５は、従って、ジャマを隔離するように機能しうる。当業者は、デジタルフィルタ１２０５に加えて、例えば、デジタル周波数回転ユニットプラス図１１Ｂを参照しながら先に記述された付随するフィルタのような他のユニットが、図１２Ｃの例示的な実施形態において採用されうることを認識するであろう。（示されていない）代替的例示的な実施形態において、ジャマの周波数が知られていない場合、例えば、図１１Ｃを参照しながら記述されたようなジャマ周波数サーチ技法が採用されうる。
【０１３１】
図１２Ｃにおいて更に叙述されるのは、基板雑音センサ１２０１である。本出願において更に記述されるように、図１２Ｃの例示的な実施形態は、（例えば、ＬＯの周波数に匹敵する）高周波特質、および（例えば、ＬＯの周波数よりもずっと小さい）低周波特質の両方の基板雑音による干渉を感知し再構築するために使用されうる。
【０１３２】
基板雑音が、比較的高周波である場合、アナログフィルタ１５４．１は、バンドパスアナログフィルタとして、また、ＡＤＣ１５６．１は、（バンドパス感知およびデジタル化の可能な）バンドパスＡＤＣとして構成することが出来る。基板雑音が、（例えば、ＲＸ  ＬＯの周波数よりずっと低い）比較的低周波であり、しかし、基板雑音が受信された信号と混合されるように、より高い周波数（例えば、ＲＸ  ＬＯまで）にアップコンバートされている場合、基板雑音センサ１２０１は、低周波基板雑音を直接的にサンプリングする。そのケースにおいて、アナログフィルタ１５４．１はローパスフィルタとして、またＡＤＣ１５６．１は通常のＡＤＣとして構成することが出来る。
【０１３３】
高周波基板雑音とともにアップコンバートされた低周波基板雑音を自然に取り扱う両方のケースにおいて、干渉再構築ユニット１２５５は、ジャマおよび基板雑音による干渉を、例えば、信号ｓａｍｐｌｅｒ＿ｏｕｔ（ｌ）と信号１２０５ａを乗算すること、および任意の周波数シフトのために接続することによって、デジタル的に再構築することが出来る。
【０１３４】
図１２Ａ−１２Ｃは、周波数が高い、例えば図１２Ａに示されるようにＲＸ  ＬＯに近い、または周波数がアップコンバートされた基板雑音を叙述しているが、当業者は、基板雑音は、また、かなり低い周波数でもありえて、ＲＸ  ＬＯが所望の信号とジャマとを低周波数にダウンコンバートされた後に、受信された信号と干渉していることを認識するであろう。例えば、基板雑音は、ＡＤＣ１４６のクロックと結合することが出来、これは、アナログフィルタ１４４の後で、（ｆｊ−ｆＲＸ＿ＬＯ）で中央化されたジャマを、直接的に所望のチャネルに変換するように働きうる。
【０１３５】
図１２Ｄは、相対的に周波数の低い基板雑音を取り扱う例示的な実施形態を叙述する。図１２Ｄにおいて、ｓａｍｐｌｅｒ＿ｏｕｔ副信号（ａ）は、ＡＤＣ１４６出力のデジタル化されフィルタされたバージョンである。例示的な実施形態において、フィルタ１２００は、受信された信号中のジャマを隔離することが出来る。ｓａｍｐｌｅｒ＿ｏｕｔ副信号（ｌ）は基板雑音センサ１２０１のアナログ出力のデジタル化されたバージョンである。所望の信号中に流れ込む干渉は、従って干渉再構築ユニット１２５５において、入力を干渉再構築ユニット１２５５に乗算することによって、デジタル的に再構築されうる。（示されていない）代替的例示的な実施形態において、副信号（ｂ）は、適切な変形でもって、副信号（ａ）を置換し、一方、副信号（ｋ）は、副信号（ｌ）を置換しうる。
【０１３６】
図１２Ａ−１２Ｄは、基板雑音に向けられた本開示の例示的な実施形態を叙述するが、当業者は、本出願において開示された技法が、任意のタイプの雑音の効果を取り扱うのに適用されうることを認識するであろう。特に、フォーマットおよび／または強度が時間変動する雑音は、基板雑音センサ１２０１のような雑音センサによって動的にサンプリングすることが出来、デジタル的に干渉を再構築するために図１２Ｂ−１２Ｄの例示的な実施形態に従って処理することが出来る。
【０１３７】
開示された干渉軽減のアーキテクチャの柔軟性によって、任意のまたは全ての干渉センサおよびサンプラ２００、干渉再構築ユニット２２０、および処理制御ユニット２３０が、信号受領の条件に依存して受信された信号中の干渉の異なるタイプを取り扱うように動的に構成されうることを当業者は認識するであろう。例えば、ブロックは、代替的に、（例えば、２つの強い帯域外ジャマのＩＭ３混合のようで、その内の１つはデバイス自身の送信機である）干渉の第１のタイプを、そのような干渉の第１のタイプが検出されたとき、軽減するように構成されうる。また、（ＩＭ２のような）干渉の第２のタイプを、そのような干渉の第２のタイプが検出されたとき、軽減するように構成されうる。例示的な実施形態において、干渉制御ユニット２４０によって提供された制御信号２４０ａは、どのタイプの干渉が軽減されるべきであるかを特定することが出来る。
【０１３８】
本出願において記述された技法はある利点をもたらしうる。第１に、アナログ回路ブロック〈例えば、混合器１４２〉は、オンザフライで、即ち、通常の動作期間に、例えば、図２で叙述された干渉制御ユニット２４０を使用して較正され、工場の較正を実行すること無しにより、コスト節約となりうる。更に、オンザフライ較正は、温度、電源供給等のバリエーションをもたらしうる。第２に、上述のように、ＩＭ２、ＩＭ３、および／または他のタイプの干渉や歪みを軽減することによって、改善された性能が達成しうる。第３に、受信機における（例えば、ＬＮＡ１４０の後の）外部アナログフィルタの省略が可能となり、および／または、厳格でない相互変調仕様で設計されたアナログ回路〈例えば、混合器１４２〉の使用が可能となりえて、これによりコスト低減と低パワー消費となる。
【０１３９】
当業者は、情報および信号が、任意のバラエティーの技術および技法を使用して表示しうることを理解するであろう。例えば、上述を通じて参照されたデータ、命令、コマンド、情報、信号、ビット、シンボル、およびチップは、電圧、電流、電磁波、磁場や粒子、光学場や粒子、またはそれらの任意の組み合わせによって表示されうる。
【０１４０】
当業者は、更に、本出願において開示された、例示的な実施形態との関係で記述された様々な例解的論理ブロック、モジュール、回路、およびアルゴリズムステップは、電子的ハードウェア、コンピュータソフトウェア、様々な例解的なコンポーネント、または両方の組み合わせとして実現することが出来ることを認識するであろう。このハードウェアとソフトウェアの交換可能性を明瞭に例解するために、様々な例解的なコンポーネント、ブロック、モジュール、回路、およびステップが、一般的にそれらの機能性の形で上述された。そのような機能性がハードウェアで実現されるか、ソフトウェアで実現されるかは、全体システムに課せられた特有の応用と設計制約に依存する。熟練者は、記述された機能性を、各特有の応用について、やり方を変動させながら実現することが出来る。しかし、そのような実現の決定は、本発明の例示的な実施形態の範囲からの逸脱を引き起こすとは解釈されるべきではない。
【０１４１】
本出願において開示された例示的な実施形態との関連で記述された、様々な例解的な論理ブロック、モジュール、および回路は、汎用目的プロセッサ、デジタル信号プロセッサ（ＤＳＰ）、特定用途集積回路（ＡＳＩＣ）、フィールドプログラマブルゲートアレイ（ＦＰＧＡ）や他のプログラマブル論理デバイス、個別ゲートやトランジスタ論理、個別ハードウェアコンポーネント、または本出願において記述された機能を実行するように設計されたそれらの任意の組み合わせでもって、実現または実行することが出来る。汎用目的プロセッサは、マイクロプロセッサでありうるが、代替的に、プロセッサは、任意の従来のプロセッサ、コントローラ、マイクロコントローラ、または状態マシーンでありうる。プロセッサは、また、コンピューティングデバイスの組み合わせ、例えば、ＤＳＰとマイクロプロセッサ、複数のマイクロプロセッサ、ＤＳＰコアと関連する１つあるいはそれより多くのマイクロプロセッサ、または任意の他のそのような構成の組み合わせとして実現することも出来る。
【０１４２】
本出願において開示された例示的な実施形態との関連で記述された方法またはアルゴリズムのステップは、直接ハードウェアで、プロセッサによって実行されるソフトウェアモジュールで、またはその２つの組み合わせで実現することが出来る。ソフトウェアモジュールは、ランダムアクセスメモリ（ＲＡＭ）、フラッシュメモリ、読み出し専用メモリ（ＲＯＭ）、電気的プログラム可能メモリ（ＥＰＲＯＭ）、電気的消去可能プログラム可能メモリ（ＥＥＰＲＯＭ）、レジスタ、ハードディスク（ｄｉｓｋ）、リムーバブルディスク（ｄｉｓｋ）、ＣＤ−ＲＯＭ、または本技術において知られた任意の他の形態の記憶媒体中に常駐しうる。プロセッサが記憶媒体から情報を読み出し、記憶媒体に情報を書き込むように、例示的な記憶媒体はプロセッサに結合される。代替的に、記憶媒体はプロセッサに集積されうる。プロセッサと記憶媒体は、ＡＳＩＣ中に常駐しうる。ＡＳＩＣは、ユーザ端末に常駐しうる。代替的に、プロセッサと記憶媒体は、ユーザ端末において、個別のコンポーネントとして常駐しうる。
【０１４３】
１つあるいはそれより多くの例示的な実施形態において、記述された機能は、ハードウェア、ソフトウェア、ファームウェア、またはそれらの任意の組み合わせで実現することが出来る。ソフトウェアで実現される場合、機能は、コンピュータ読み出し可能媒体上に、１つあるいはそれより多くの命令またはコードとして記憶されるか、それを通して送信されうる。コンピュータ読み出し可能媒体は、コンピュータ記憶媒体、および１つの場所から別の場所にコンピュータプログラムの転送を容易化する任意の媒体を含む通信媒体の両方を含む。記憶媒体は、コンピュータによってアクセスすることが出来る、任意の利用可能な媒体でありうる。限定ではなく、例として、そのようなコンピュータ読み出し可能媒体は、ＲＡＭ、ＲＯＭ、ＥＥＰＲＯＭ、ＣＤ−ＲＯＭや他の光学的ディスク記憶、磁気ディスク（ｄｉｓｋ）記憶や他の磁気記憶デバイス、または、命令やデータ構造の形態中に所望のプログラムコードを搬送や記憶するために使用することが出来、コンピュータによってアクセスすることが出来る任意の他の媒体を具備することが出来る。また、任意の接続は、適切にコンピュータ読み出し可能媒体と呼ばれる。例えば、ソフトウェアが、ウェブサイトや、サーバや、他の遠隔ソースから、同軸ケーブル、ファイバーオプティックケーブル、より線対、デジタル加入者線（ＤＳＬ）、または遠赤外や、無線や、マイクロ波のようなワイヤレス技術を使用して送信される場合、同軸ケーブル、ファイバーオプティックケーブル、より線対、ＤＳＬ、または遠赤外や、無線や、マイクロ波のようなワイヤレス技術は、媒体の定義に含まれる。本出願において使用されるディスク（ｄｉｓｋ）およびディスク（ｄｉｓｃ）は、コンパクトディスク（ｄｉｓｃ）（ＣＤ）、レーザディスク（ｄｉｓｃ）、光学ディスク（ｄｉｓｃ）、デジタル多用途ディスク（ｄｉｓｃ）（ＤＶＤ）、フロッピー（登録商標）ディスク（ｄｉｓｋ）、ブルーレイ（登録商標）ディスク（ｄｉｓｃ）を含み、ディスク（ｄｉｓｋ）は、データを時期的に再生し、一方、ディスク（ｄｉｓｃ）はデータを光学的にレーザで再生する。上記の組み合わせは、また、コンピュータ読み出し可能媒体の範囲内に含まれるべきである。
【０１４４】
開示された例示的な実施形態の前記記述は、当業者が本発明を製造または使用することを可能にするために提供される。これらの例示的な実施形態に対する様々な、変形は、当業者にとって容易に明らかであり、本出願において規定された一般的原理は、本発明の精神や範囲を逸脱することなく、他の例示的な実施形態に適用することが出来る。従って、本発明は、本出願に示された例示的な実施形態に限定されることを意図しておらず、本出願で開示された原理および新規の特徴に従う全幅の範囲を与えられるべきである。
【図１】
2014057327.tif 000005
【図２】
2014057327.tif 000006
【図３Ａ】
2014057327.tif 000007
【図３Ｂ】
2014057327.tif 000008
【図３Ｃ】
2014057327.tif 000009
【図３Ｄ】
2014057327.tif 000010
【図４Ａ】
2014057327.tif 000011
【図４Ｂ】
2014057327.tif 000012
【図４Ｃ】
2014057327.tif 000013
【図４Ｄ】
2014057327.tif 000014
【図４Ｅ】
2014057327.tif 000015
【図５Ａ】
2014057327.tif 000016
【図５Ｂ】
2014057327.tif 000017
【図５Ｃ】
2014057327.tif 000018
【図５Ｄ】
2014057327.tif 000019
【図５Ｅ】
2014057327.tif 000020
【図６】
2014057327.tif 000021
【図６Ａ】
2014057327.tif 000022
【図６Ｂ】
2014057327.tif 000023
【図６Ｃ】
2014057327.tif 000024
【図７】
2014057327.tif 000025
【図８】
2014057327.tif 000026
【図９Ａ】
2014057327.tif 000027
【図９Ｂ】
2014057327.tif 000028
【図１０】
2014057327.tif 000029
【図１１Ａ】
2014057327.tif 000030
【図１１Ｂ】
2014057327.tif 000031
【図１１Ｃ】
2014057327.tif 000032
【図１２Ａ】
2014057327.tif 000033
【図１２Ｂ】
2014057327.tif 000034
【図１２Ｃ】
2014057327.tif 000035
【図１２Ｄ】
2014057327.tif 000036
【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
情報を再生するために、受信された信号を処理するように構成された装置であって、
前記装置は、受信信号経路を備え、
前記受信信号経路は、
前記受信された信号を増幅するように構成された低雑音アンプと、
前記低雑音アンプに接続され、前記増幅された、受信された信号を、受信局部発信器信号（ＲＸ ＬＯ）と混合するように構成された第1の混合器と、
前記混合器に接続され、デジタル信号を発生するために、前記増幅されて混合された、受信された信号をデジタル化するように構成されるアナログ−デジタルコンバータと、
を有し、
前記装置は、さらに、
第１の副信号を発生するために、第１の干渉信号を感知およびサンプリングする干渉センサおよびサンプラ、前記干渉センサおよびサンプラは、前記受信信号経路における前記第1の混合器の上流の位置で前記第1の干渉信号を感知し、前記干渉センサおよびサンプラは、前記感知された第1の干渉信号を、前記ＲＸ ＬＯ信号、送信局部発信信号（ＴＸ ＬＯ）、前記ＲＸまたはＴＸ ＬＯ信号のスプリアスの周波数をもつ任意の局部発信信号のうちの選択されたひとつと混合することにより前記感知された第1の干渉信号をダウンコンバートするために、第２の混合器を含む、と、
デジタル再構築された干渉信号を発生するために、前記第１の副信号を回転周波数分だけ回転するデジタル回転器、前記デジタル回転器のための回転周波数は、前記ＲＸまたはＴＸ ＬＯ信号の前記スプリアスの周波数が先験的に知られている場合、前記ＲＸまたはＴＸ ＬＯ信号の前記スプリアスの周波数にもとづく、と、
前記デジタル再構築された干渉信号を、前記受信信号経路において前記受信された信号から派生した前記デジタル信号と相関させる相関器と、
前記受信された信号中の干渉を軽減するために、前記相関器によって発生された相関結果に基づいて、前記受信された信号の処理への調整を制御する干渉制御ユニットと、
を具備する、干渉軽減装置。
【請求項２】
前記第１の副信号を複数の候補回転周波数分だけ回転し、
前記回転された第１の副信号の各々を、前記受信された信号の処理されたバージョンと相関させ、
前記ＲＸまたはＴＸ ＬＯ信号の前記スプリアスの周波数が先験的に知られている場合、前記デジタル回転器中の前記回転周波数を、前記回転された第１の副信号の各々と、前記受信された信号の処理されたバージョンとの前記相関の最大の結果に関係付けられた候補回転周波数であるように設定する、
よう構成されたサーチャーを更に具備する、請求項１記載の装置。
【請求項３】
前記回転周波数は、前記ＲＸ ＬＯ信号の周波数と、前記ＲＸ局部発信器の前記スプリアスに関係付けられた周波数との間の相違を具備する、請求項１記載の装置。
【請求項４】
受信信号経路において生成される、受信された信号中の干渉を軽減する方法であって、
前記方法は、
前記受信信号経路において、低雑音アンプを介することで前記受信された信号を増幅することと、
前記受信信号経路において、情報を再生するために、前記受信された信号を処理することと、
前記受信信号経路において、前記低雑音アンプに接続された第１の混合器を介することにより、前記増幅された、受信された信号を、受信局部発信器（ＲＸ ＬＯ）信号と混合することと、
前記受信信号経路において、前記第１の混合器に接続されたアナログ−デジタルコンバータを介することにより、デジタル信号を生成するために、前記増幅されて混合された、受信された信号をデジタル化することと、
前記受信信号経路における前記第１の混合器の上流の位置で、干渉信号を感知することと、
第１の副信号を発生するために、前記感知された干渉信号をサンプリングすること、前記サンプリングすることは、前記感知された干渉信号を、前記ＲＸ ＬＯ信号、送信局部発信信号（ＴＸ ＬＯ）、前記ＲＸまたはＴＸ ＬＯ信号のスプリアスの周波数をもつ任意の局部発信信号のうちの選択されたひとつと混合することにより前記感知された干渉信号をダウンコンバートすることを含む、と、
デジタル再構築された干渉信号を発生するために、前記第１の副信号を回転周波数分だけデジタル的に回転すること、前記回転周波数は、前記ＲＸまたはＴＸ ＬＯ信号の前記スプリアスの周波数が先験的に知られている場合、前記ＲＸまたはＴＸ ＬＯ信号の前記スプリアスの周波数にもとづく、と、
前記デジタル再構築された干渉信号を、前記受信信号経路において前記受信された信号から派生した前記デジタル信号と相関させることと、
前記受信された信号中の干渉を軽減するために、前記相関させることによって発生された相関結果に基づいて、前記受信された信号の処理を調整することと、
を具備する、方法。
【請求項５】
前記回転周波数は、前記ＲＸ ＬＯ信号の周波数と、前記ＲＸ局部発信器のスプリアスに関係付けられた周波数との間の相違を具備する、請求項４記載の方法。
【請求項６】
前記第１の副信号を複数の候補回転周波数分だけ回転することと、
前記回転された第１の副信号の各々を、前記受信された信号の処理されたバージョンと相関させることと、
前記デジタル的に回転するステップ中の前記回転周波数を、
前記ＲＸまたはＴＸ ＬＯ信号の前記スプリアスの周波数が先験的に知られている場合、前記回転された第１の副信号の各々と、前記受信された信号の処理されたバージョンとの前記相関の最大の結果に関係付けられた候補回転周波数であるように設定することと、
を更に具備する請求項４記載の方法。
【請求項７】
受信信号経路において、情報を再生するために、受信された信号を処理するように構成された装置であって、
前記装置は、
前記受信信号経路において、前記受信された信号を低雑音アンプで増幅する手段と、
前記受信信号経路において、情報を再生するために、前記受信された信号を処理する手段と、
前記受信信号経路において、前記増幅された、受信された信号を、受信局部発信器（ＲＸ ＬＯ）信号と混合する手段と、
前記受信信号経路において、デジタル信号を発生するために、前記増幅されて混合された、受信された信号をデジタル化する手段と、
前記受信信号経路における前記混合する手段の上流の位置で、干渉信号を感知する手段と、
第１の副信号を発生するために、前記感知された干渉信号をサンプリングする手段、前記サンプリングする手段は、前記感知された干渉信号を、前記ＲＸ ＬＯ信号、送信局部発信信号（ＴＸ ＬＯ）、前記ＲＸまたはＴＸ ＬＯ信号のスプリアスの周波数をもつ任意の局部発信信号のうちの選択されたひとつと混合することにより前記感知された干渉信号をダウンコンバートするための手段を含む、と、
デジタル再構築された干渉信号を発生するために、前記第１の副信号を回転周波数分だけデジタル的に回転する手段、前記回転周波数は、前記ＲＸまたはＴＸ ＬＯ信号の前記スプリアスの周波数が先験的に知られている場合、前記ＲＸまたはＴＸ ＬＯ信号の前記スプリアスの周波数にもとづく、と、
前記デジタル再構築された干渉信号を、前記受信信号経路において前記受信された信号から派生した前記デジタル信号と相関させる手段と、
前記受信された信号中の干渉を軽減するために、前記相関させる手段によって発生された相関結果に基づいて、前記受信された信号の処理を調整する手段と、
を具備する干渉軽減装置。
【請求項８】
前記回転周波数は、前記ＲＸ ＬＯ信号の周波数と、前記ＲＸ局部発信器のスプリアスに関係付けられた周波数との間の相違を具備する、請求項７記載の装置。
【請求項９】
前記第１の副信号を複数の候補回転周波数分だけ回転する手段と、
前記回転された第１の副信号の各々を、前記受信された信号の処理されたバージョンと相関させる手段と、
前記デジタル的に回転するステップ中の前記回転周波数を、前記ＲＸまたはＴＸ ＬＯ信号の前記スプリアスの周波数が先験的に知られている場合、前記回転された第１の副信号の各々と、前記受信された信号の処理されたバージョンとの前記相関の最大の結果に関係付けられた候補回転周波数であるように設定する手段と、
を更に具備する請求項７記載の装置。
【請求項１０】
情報を再生するために、受信された信号を処理するように構成された装置であって、
前記装置は、受信信号経路を備え、
前記受信信号経路は、
前記受信された信号を増幅するために構成された低雑音アンプと、
前記低雑音アンプに接続され、前記増幅された、受信された信号を、受信局部発信器（ＲＸ ＬＯ）信号と混合するように構成された第１の混合器と、
前記混合器に接続され、デジタル信号を発生するために、前記増幅されて混合された、受信された信号をデジタル化するように構成されたアナログ−デジタルコンバータと、
を備え、
前記装置は、さらに、
デジタルサンプリングされた干渉信号を発生するために、第１の干渉信号を感知およびサンプリングする干渉センサおよびサンプラ、前記干渉センサおよびサンプラは、前記受信信号経路における前記第1の混合器の上流の位置で前記第1の干渉信号を感知し、前記干渉センサおよびサンプラは、前記感知された第1の干渉信号を、前記ＲＸ ＬＯ信号、送信局部発信信号（ＴＸ ＬＯ）、前記ＲＸまたはＴＸ ＬＯ信号のスプリアスの周波数をもつ任意の局部発信信号のうちの選択されたひとつと混合することにより前記感知された第1の干渉信号をダウンコンバートするために、第２の混合器を含む、と、
前記デジタルサンプリングされた干渉信号に基づいて、デジタル再構築された干渉信号を発生する干渉再構築ユニット、前記干渉再構築ユニットは、前記ＲＸまたはＴＸ ＬＯ信号の前記スプリアスの周波数が先験的に知られている場合、前記ＲＸまたはＴＸ ＬＯ信号の前記スプリアスの周波数にもとづいて、前記デジタル再構築された干渉信号を発生する、と、
前記デジタル再構築された干渉信号を、前記受信信号経路において前記受信された信号から派生した前記デジタル信号と相関させる相関器と、
前記相関器により発生された相関結果に基づいて、前記受信された信号を処理するために使用される無線周波数（ＲＦ）回路ブロックのパラメータへの調整を制御する干渉制御ユニットと、
を具備する干渉軽減装置。
【請求項１１】
前記第１の干渉信号は、送信機によって発生されたデジタル送信信号を具備し、
前記デジタルサンプリングされた干渉信号は、前記第１の干渉信号である、請求項１０記載の装置。
【請求項１２】
前記干渉制御ユニットは、前記相関器の前記出力を低減するために、前記ＲＸ ＬＯ信号を前記受信された信号と混合するために使用される前記第１の混合器の対称性を制御するように構成される、請求項１０記載の装置。
【請求項１３】
前記干渉構築ユニットは、前記デジタルサンプリングされた干渉信号に基づいて、二次相互変調歪み（ＩＭ２）を再構築するように構成される、請求項１０記載の装置。
【請求項１４】
前記干渉制御ユニットは、前記相関の前記結果を低減するために、前記受信された信号を処理するために使用される前記低雑音アンプの線形性モードを調整するように構成される、請求項１０記載の装置。
【請求項１５】
受信信号経路において生成される、受信された信号中の干渉を軽減する方法であって、
前記方法は、
前記受信経路において、前記受信された信号を、低雑音アンプで増幅することと、
前記受信信号経路において、情報を再生するために、前記受信された信号を処理することと、
前記受信信号経路において、第１の混合器を用いて、前記増幅された、受信された信号を、受信局部発信器（ＲＸ ＬＯ）信号と混合することと、
前記受信信号経路において、デジタル信号を発生するために、前記増幅されて混合された、受信された信号をデジタル化すること、前記デジタル信号は第１の副信号として使用される、と、
前記受信信号経路における前記第１の混合器の上流の位置で、干渉信号を感知することと、
デジタルサンプリングされた干渉信号を発生するために、前記感知された干渉信号をサンプリングすること、前記サンプリングすることは、前記感知された干渉信号を、前記ＲＸ ＬＯ信号、送信局部発信信号（ＴＸ ＬＯ）、前記ＲＸまたはＴＸ ＬＯ信号のスプリアスの周波数をもつ任意の局部発信信号のうちの選択されたひとつと混合することにより前記感知された干渉信号をダウンコンバートすることを含む、と、
前記第１の副信号または前記デジタルサンプリングされた干渉信号に基づいて、デジタル再構築された干渉信号を発生すること、前記デジタル再構築された干渉信号を発生することは、前記ＲＸまたはＴＸ ＬＯ信号の前記スプリアスの周波数が先験的に知られている場合、前記ＲＸまたはＴＸ ＬＯ信号の前記スプリアスの周波数にもとづく、と、
前記デジタル再構築された干渉信号を、前記受信信号経路において前記受信された信号から派生した前記デジタル信号と相関させることと、
前記相関によって発生された相関結果に基づいて、前記受信された信号を処理するために使用される無線周波数（ＲＦ）回路ブロックのパラメータを調整することと、
を具備する方法。
【請求項１６】
干渉信号を前記感知することは、送信機によって発生されたデジタル送信信号を感知することを具備し、
前記感知された干渉信号を前記サンプリングすることは、前記感知されたデジタル干渉信号を、前記デジタルサンプリングされた干渉信号として提供することを具備する、請求項１５記載の方法。
【請求項１７】
パラメータの前記調整は、前記相関の前記結果を低減するために、局部発信器信号を前記受信された信号と混合するのに使用される混合器の対称性を制御することを具備する、請求項１５記載の方法。
【請求項１８】
デジタル再構築された干渉信号を前記発生することは、前記デジタルサンプリングされた干渉信号に基づいて、二次相互変調歪み（ＩＭ２）を再構築することを具備する、請求項１５記載の方法。
【請求項１９】
パラメータの前記調整は、前記相関の前記結果を低減するために、前記受信された信号を処理するのに使用される低雑音アンプの線形性モードを調整することを具備する、請求項１５記載の方法。
【請求項２０】
受信信号経路において生成される、受信された信号中の干渉を軽減する装置であって、
前記装置は、
前記受信信号経路において、前記受信された信号を、低雑音アンプで増幅する手段と、
前記受信信号経路において、情報を再生するために、前記受信された信号を処理する手段と、
前記受信信号経路において、前記増幅された、受信された信号を、受信局部発信器（ＲＸ ＬＯ）信号と混合する手段と、
前記受信信号経路において、デジタル信号を発生するために、前記増幅されて混合された、受信された信号をデジタル化する手段、前記デジタル信号は第１の副信号として使用される、と、
前記受信信号経路において、前記混合する手段の上流の位置で、干渉信号を感知する手段と、
デジタルサンプリングされた干渉信号を発生するために、前記感知された干渉信号をサンプリングする手段、前記サンプリングする手段は、前記感知された干渉信号を、前記ＲＸ ＬＯ信号、送信局部発信信号（ＴＸ ＬＯ）、前記ＲＸまたはＴＸ ＬＯ信号のスプリアスの周波数をもつ任意の局部発信信号のうちの選択されたひとつと混合することにより前記感知された干渉信号をダウンコンバートする手段を含む、と、
前記第１の副信号または前記デジタルサンプリングされた干渉信号に基づいて、デジタル再構築された干渉信号を発生する手段、前記デジタル再構築された干渉信号を発生する手段は、前記ＲＸまたはＴＸ ＬＯ信号の前記スプリアスの周波数が先験的に知られている場合、前記ＲＸまたはＴＸ ＬＯ信号の前記スプリアスの周波数にもとづく、と、
前記デジタル再構築された干渉信号を、前記受信信号経路において前記受信された信号から派生した前記デジタル信号と相関させる手段と、
前記相関させる手段によって発生された前記相関結果に基づいて、前記受信された信号を処理するために使用される無線周波数（ＲＦ）回路ブロックのパラメータを調整する手段と、
を具備する装置。
【請求項２１】
情報を再生するために、受信された信号を処理するように構成された装置であって、
前記装置は、受信信号経路を備え、
前記受信信号経路は、
前記受信された信号を増幅する低雑音アンプと、
前記増幅された、受信された信号を、受信局部発信器（ＲＸ ＬＯ）信号と混合する第１の混合器と、
増幅され混合された、受信された信号をデジタル化する第１のアナログ−デジタルコンバータと、
を有し、
前記装置は、さらに、
第１の副信号を発生するために、第１の干渉信号を感知およびサンプリングする第１の干渉センサおよびサンプラ、前記第１の干渉センサおよびサンプラは、前記第１の副信号を発生するために、前記増幅され混合された、受信された信号をデジタル化する第２のアナログ−デジタルコンバータを具備する、と、
前記第１の副信号に基づいて、第１のデジタル再構築された干渉信号を発生する干渉再構築ユニットと、
前記受信された信号中の干渉を軽減するために、前記第１のデジタル再構築された干渉信号に基づいて、前記受信された信号の処理への調整を制御する干渉制御ユニットと、
前記受信信号経路における前記第１の混合器の上流の位置で、第２の干渉信号を感知し、第２の副信号を発生するために、前記第２の干渉信号を感知およびサンプリングする第２の干渉センサおよびサンプラ、前記第２の干渉センサおよびサンプラは、前記感知された干渉信号を、前記ＲＸ ＬＯ信号、送信局部発信信号（ＴＸ ＬＯ）、前記ＲＸまたはＴＸ ＬＯ信号のスプリアスの周波数をもつ任意の局部発信信号のうちの選択されたひとつと混合することにより前記感知された干渉信号をダウンコンバートする、と、
を具備し、
前記干渉再構築ユニットは、前記第２の副信号に基づいて、第２のデジタル再構築された干渉信号を発生するように更に構成され、ここで、前記干渉再構築ユニットは、前記ＲＸまたはＴＸ ＬＯ信号の前記スプリアスの周波数が先験的に知られている場合、前記ＲＸまたはＴＸ ＬＯ信号の前記スプリアスの周波数にもとづいて、前記第２のデジタル再構築された干渉信号を発生し、
前記干渉制御ユニットは、前記受信された信号中の干渉を軽減するために、干渉選択制御信号に応答して、前記第２のデジタル再構築された干渉信号に基づいて、前記受信された信号の処理への調整を制御するように更に構成されている、
装置。
【請求項２２】
前記受信信号経路において、前記第１または第２のデジタル再構築された干渉信号を、前記受信された信号から派生したデジタル信号と相関させる相関器を更に具備し、
前記受信された信号の前記処理への前記調整は、前記相関器の前記出力に基づく、請求項２１記載の装置。
【請求項２３】
前記受信された信号の前記処理への前記調整は、前記受信信号経路において、前記受信された信号を処理するために使用される無線周波数（ＲＦ）回路ブロックのパラメータの調整を具備する、請求項２１記載の装置。
【請求項２４】
干渉軽減装置のプロセッサに、受信信号経路において生成される、受信された信号における干渉を軽減させるよう構成されたプロセッサ実行可能命令であって、
前記命令は、
前記プロセッサに、前記受信信号経路において、受信された信号を低雑音アンプで増幅させるコードと、
前記プロセッサに、前記受信信号経路において、情報を再生するために、前記受信された信号を処理させるコードと、
前記プロセッサに、前記受信信号経路において、第１の混合器を用いて、前記増幅された、受信された信号を、受信局部発信器（ＲＸ ＬＯ）信号と混合させるコードと、
前記プロセッサに、前記信号経路において、デジタル信号を発生するために、前記増幅されて混合された、受信された信号をデジタル化させるコードと、
前記プロセッサに、前記受信信号経路における前記第１の混合器の上流の位置で、干渉信号を感知させるコードと、
前記プロセッサに、第１の副信号を発生するために、前記感知された干渉信号をサンプリングさせるコード、前記プロセッサにサンプリングさせるコードは、前記プロセッサに、前記感知された干渉信号を、前記ＲＸ ＬＯ信号、送信局部発信信号（ＴＸ ＬＯ）、前記ＲＸまたはＴＸ ＬＯ信号のスプリアスの周波数をもつ任意の局部発信信号のうちの選択されたひとつと混合することにより前記感知された干渉信号をダウンコンバートさせるコードを含む、と、
前記プロセッサに、デジタル再構築された干渉信号を発生するために、回転周波数により前記第１の副信号をデジタル的に回転させるコード、前記回転周波数は、前記ＲＸまたはＴＸ ＬＯ信号の前記スプリアスの周波数が先験的に知られている場合、前記ＲＸまたはＴＸ ＬＯ信号の前記スプリアスの周波数にもとづく、と、
前記プロセッサに、前記デジタル再構築された干渉信号を、前記受信信号経路において前記受信された信号から派生した前記デジタル信号と相関させるコードと、
前記プロセッサに、前記受信された信号中の干渉を軽減するために、前記相関させることによって発生された相関結果に基づいて、前記受信された信号を処理することを調整させるコードと、
を具備し、
前記命令を記憶する、非一時的コンピュータ読み出し可能記憶納媒体。
【請求項２５】
前記記憶されたプロセッサ実行可能命令は、
前記プロセッサに、前記第１の副信号を回転周波数によりデジタル的に回転させるコードが、
前記プロセッサに、前記ＲＸ ＬＯ信号の周波数と前記ＲＸ ＬＯ信号のスプリアスに関連した周波数との間の相違を備える回転周波数により前記第１の副信号をデジタル的に回転させるコード、
を備えるように機能を実行することにより、前記干渉軽減装置の前記プロセッサに、前記受信された信号中の干渉を軽減させるよう構成される、
請求項２４記載の非一時的コンピュータ読み出し可能記憶納媒体。
【請求項２６】
前記記憶されたプロセッサ実行可能命令は、
前記プロセッサに、複数の候補回転周波数により前記第１の副信号を回転させるコードと、
前記プロセッサに、前記回転された第１の副信号を、前記受信された信号の処理されたバージョンと相関させるコードと、
前記プロセッサに、前記ＲＸまたはＴＸ ＬＯ信号の前記スプリアスの周波数が先験的に知られている場合、前記回転された第１の副信号の各々を前記受信された信号の前記処理されたバージョンとの相関の最も大きい結果に関連した候補回転周波数であるように、前記デジタル的に回転することにおける前記回転周波数を設定させるコードと、
をさらに具備する機能を実行することにより、前記干渉軽減装置の前記プロセッサに前記受信された信号中の干渉を軽減させるように構成される、請求項２４記載の非一時的コンピュータ読み出し可能記憶納媒体。
【請求項２７】
干渉軽減装置のプロセッサに、受信信号経路で発生される、受信された信号における干渉を軽減させるよう構成されたプロセッサ実行可能命令であって、
前記命令は、
前記プロセッサに、前記受信信号経路において、受信された信号を、低雑音アンプで増幅させるコードと、
前記プロセッサに、前記受信信号経路において、情報を再生するために、前記受信された信号を処理させるコードと、
前記プロセッサに、前記受信信号経路において、第１の混合器を用いて、前記増幅された、受信された信号を、局部発信器信号と混合させるコードと、
前記プロセッサに、第１の副信号を発生するために、前記増幅されて混合された、受信された信号をデジタル化させるコードと、
前記プロセッサに、前記受信信号経路における前記第１の混合器の上流の位置で、干渉信号を感知させるコードと、
前記プロセッサに、デジタルサンプルされた干渉信号を発生するために、前記感知された干渉信号をサンプリングさせるコード、前記プロセッサにサンプリングさせるコードは、前記プロセッサに、前記感知された干渉信号を、前記ＲＸ ＬＯ信号、送信局部発信信号（ＴＸ ＬＯ）、前記ＲＸまたはＴＸ ＬＯ信号のスプリアスの周波数をもつ任意の局部発信信号のうちの選択されたひとつと混合することにより前記感知された干渉信号をダウンコンバートさせるコードを含む、と、
前記プロセッサに、前記デジタルサンプルされた干渉信号に基づいて、デジタル再構築された干渉信号を発生させるコード、前記デジタル再構築された干渉信号は、前記ＲＸまたはＴＸ ＬＯ信号の前記スプリアスの周波数が先験的に知られている場合、前記ＲＸまたはＴＸ ＬＯ信号の前記スプリアスの周波数にもとづいて発生される、と、
前記プロセッサに、前記デジタル再構築された干渉信号を、前記受信信号経路において前記受信された信号から派生した前記デジタル信号と相関させるコードと、
前記プロセッサに、前記受信された信号を処理するために、前記相関させることの結果に基づいて、使用される無線周波数（ＲＦ）回路ブロックのパラメータを調整させるコードと、
を具備し、
前記命令を記憶する、非一時的コンピュータ読み出し可能記憶納媒体。
【請求項２８】
前記記憶されたプロセッサ実行可能命令は、
前記プロセッサに、干渉信号を感知させるコードが、前記プロセッサに、送信器により発生されたデジタル送信信号を感知させるコードを備え、
前記プロセッサに、感知された干渉信号をサンプリングさせるコードが、前記プロセッサに、前記感知されたデジタル干渉信号を、前記デジタルサンプルされた干渉信号として提供させるコードを備える、
ように機能を実行することにより、前記干渉軽減装置の前記プロセッサに、前記受信された信号中の干渉を軽減させるよう構成される、
請求項２７記載の非一時的コンピュータ読み出し可能記憶納媒体。
【請求項２９】
前記記憶されたプロセッサ実行可能命令は、
前記プロセッサに、パラメータを調整させるコードが、前記プロセッサに、前記相関の結果を低減するために、前記ＲＸ ＬＯ信号を、前記受信信号経路において前記受信された信号と混合するために使用される前記第１の混合器の対称性を調整させるコードを備えるように機能を実行することにより、前記干渉軽減装置の前記プロセッサに、前記受信された信号中の干渉を軽減させるよう構成される、請求項２７記載の非一時的コンピュータ読み出し可能記憶納媒体。
【請求項３０】
前記記憶されたプロセッサにより実行可能な命令は、
前記プロセッサに、デジタル再構築された干渉信号を発生させるコードが、前記プロセッサに、前記デジタルサンプルされた干渉信号に基づいて、二次相互変調ひずみ（ＩＭ２）を再構築させるコードを備えるように機能を実行することにより、前記干渉軽減装置の前記プロセッサに、前記受信された信号中の干渉を軽減させるよう構成される、請求項２７記載の非一時的コンピュータ読み出し可能記憶納媒体。
【請求項３１】
前記記憶されたプロセッサ実行可能命令は、
前記プロセッサに、パラメータを調整させるコードが、前記プロセッサに、前記相関の結果を低減するために、前記受信信号経路において前記受信された信号を処理するために使用される低雑音アンプの線形性モードを調整させるコードを備えるように機能を実行することにより、前記干渉軽減装置の前記プロセッサに、前記受信された信号中の干渉を軽減させるよう構成される、請求項２７記載の非一時的コンピュータ読み出し可能記憶納媒体。
【外国語明細書】
2014057327000001.pdf